(57)【特許請求の範囲】
【請求項１】
それぞれが有効期間と当該有効期間が後続する前方ガード期間と当該有効期間に後続する後方ガード期間とを含む第１の制御シンボルと第２の制御シンボルを生成し、前記第１の制御シンボルの前方ガード期間は、前記第１の制御シンボルの有効期間の信号の前方部分を０ではない第１の周波数シフト量で周波数シフトした信号を含み、前記第１の制御シンボルの後方ガード期間は、前記第１の制御シンボルの有効期間の信号の後方部分を前記第１の周波数シフト量で周波数シフトした信号を含み、前記第２の制御シンボルの前方ガード期間は、前記第２の制御シンボルの有効期間の信号の前方部分を０ではない第２の周波数シフト量で周波数シフトした信号を含み、前記第２の制御シンボルの後方ガード期間は、前記第２の制御シンボルの有効期間の信号の後方部分を前記第２の周波数シフト量で周波数シフトした信号を含み、前記第１の制御シンボルの前方ガード期間の長さは前記第２の制御シンボルの前方ガード期間の長さと異なり、前記第１の制御シンボルの後方ガード期間の長さは前記第２の制御シンボルの後方ガード期間の長さと異なり、前記第１の制御シンボルの前方ガード期間と後方ガード期間の長さの和は前記第２の制御シンボルの前方ガード期間と後方ガード期間の長さの和に等しい、第１シンボル生成部と、
前記第１の制御シンボル及び前記第２の制御シンボルとは異なる複数のシンボルを生成する第２シンボル生成部と、
前記第１の制御シンボル及び前記第２の制御シンボルを前記複数のシンボルに挿入する挿入部と、
を備えるＯＦＤＭ送信装置。
【請求項２】
ＯＦＤＭ送信装置から送信された信号を受信するＯＦＤＭ受信装置であって、
前記ＯＦＤＭ送信装置から送信された信号を受信し、前記ＯＦＤＭ送信装置から送信された信号は、それぞれが有効期間と当該有効期間が後続する前方ガード期間と当該有効期間に後続する後方ガード期間とを含む第１の制御シンボルと第２の制御シンボルを、前記第１の制御シンボル及び前記第２の制御シンボルとは異なる複数のシンボルに挿入して生成されており、前記第１の制御シンボルの前方ガード期間は、前記第１の制御シンボルの有効期間の信号の前方部分を０ではない第１の周波数シフト量で周波数シフトした信号を含み、前記第１の制御シンボルの後方ガード期間は、前記第１の制御シンボルの有効期間の信号の後方部分を前記第１の周波数シフト量で周波数シフトした信号を含み、前記第２の制御シンボルの前方ガード期間は、前記第２の制御シンボルの有効期間の信号の前方部分を０ではない第２の周波数シフト量で周波数シフトした信号を含み、前記第２の制御シンボルの後方ガード期間は、前記第２の制御シンボルの有効期間の信号の後方部分を前記第２の周波数シフト量で周波数シフトした信号を含み、前記第１の制御シンボルの前方ガード期間の長さは前記第２の制御シンボルの前方ガード期間の長さと異なり、前記第１の制御シンボルの後方ガード期間の長さは前記第２の制御シンボルの後方ガード期間の長さと異なり、前記第１の制御シンボルの前方ガード期間と後方ガード期間の長さの和は前記第２の制御シンボルの前方ガード期間と後方ガード期間の長さの和に等しい、受信部と、
前記第１の制御シンボルを検出する第１の検出部と、
前記第２の制御シンボルを検出する第２の検出部と、
を備えるＯＦＤＭ受信装置。
【請求項３】
それぞれが有効期間と当該有効期間が後続する前方ガード期間と当該有効期間に後続する後方ガード期間とを含む第１の制御シンボルと第２の制御シンボルを生成し、前記第１の制御シンボルの前方ガード期間は、前記第１の制御シンボルの有効期間の信号の前方部分を０ではない第１の周波数シフト量で周波数シフトした信号を含み、前記第１の制御シンボルの後方ガード期間は、前記第１の制御シンボルの有効期間の信号の後方部分を前記第１の周波数シフト量で周波数シフトした信号を含み、前記第２の制御シンボルの前方ガード期間は、前記第２の制御シンボルの有効期間の信号の前方部分を０ではない第２の周波数シフト量で周波数シフトした信号を含み、前記第２の制御シンボルの後方ガード期間は、前記第２の制御シンボルの有効期間の信号の後方部分を前記第２の周波数シフト量で周波数シフトした信号を含み、前記第１の制御シンボルの前方ガード期間の長さは前記第２の制御シンボルの前方ガード期間の長さと異なり、前記第１の制御シンボルの後方ガード期間の長さは前記第２の制御シンボルの後方ガード期間の長さと異なり、前記第１の制御シンボルの前方ガード期間と後方ガード期間の長さの和は前記第２の制御シンボルの前方ガード期間と後方ガード期間の長さの和に等しく、
前記第１の制御シンボル及び前記第２の制御シンボルとは異なる複数のシンボルを生成し、
前記第１の制御シンボル及び前記第２の制御シンボルを前記複数のシンボルに挿入する、
ステップを含むＯＦＤＭ送信方法。
【請求項４】
ＯＦＤＭ送信装置から送信された信号を受信するＯＦＤＭ受信方法であって、
前記ＯＦＤＭ送信装置から送信された信号を受信し、前記ＯＦＤＭ送信装置から送信された信号は、それぞれが有効期間と当該有効期間が後続する前方ガード期間と当該有効期間に後続する後方ガード期間とを含む第１の制御シンボルと第２の制御シンボルを、前記第１の制御シンボル及び前記第２の制御シンボルとは異なる複数のシンボルに挿入して生成されており、前記第１の制御シンボルの前方ガード期間は、前記第１の制御シンボルの有効期間の信号の前方部分を０ではない第１の周波数シフト量で周波数シフトした信号を含み、前記第１の制御シンボルの後方ガード期間は、前記第１の制御シンボルの有効期間の信号の後方部分を前記第１の周波数シフト量で周波数シフトした信号を含み、前記第２の制御シンボルの前方ガード期間は、前記第２の制御シンボルの有効期間の信号の前方部分を０ではない第２の周波数シフト量で周波数シフトした信号を含み、前記第２の制御シンボルの後方ガード期間は、前記第２の制御シンボルの有効期間の信号の後方部分を前記第２の周波数シフト量で周波数シフトした信号を含み、前記第１の制御シンボルの前方ガード期間の長さは前記第２の制御シンボルの前方ガード期間の長さと異なり、前記第１の制御シンボルの後方ガード期間の長さは前記第２の制御シンボルの後方ガード期間の長さと異なり、前記第１の制御シンボルの前方ガード期間と後方ガード期間の長さの和は前記第２の制御シンボルの前方ガード期間と後方ガード期間の長さの和に等しく、
前記第１の制御シンボルを検出し、
前記第２の制御シンボルを検出する、
ステップを含むＯＦＤＭ受信方法。
【発明の詳細な説明】
【技術分野】
【０００１】
本発明は、複数のサブキャリアを多重して信号を送信する技術、及び、複数のサブキャリアを多重して送信された信号を受信する技術に関する。
【背景技術】
【０００２】
現在、地上デジタル放送をはじめＩＥＥＥ８０２．１１ａといった様々なデジタル通信において、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が伝送方式として広く採用されている。ＯＦＤＭ方式は、複数の狭帯域デジタル変調信号を互いに直交する複数のサブキャリアにより周波数多重して送信する方式であることから、周波数の利用効率に優れた伝送方式である。
【０００３】
また、ＯＦＤＭ方式では、１シンボル区間が有効シンボル区間とガードインターバル区間とで構成されており、シンボル内で周期性を有するように有効シンボル区間の信号の一部をガードインターバル区間に複写して挿入している。このため、マルチパス干渉によって生じるシンボル間の干渉の影響を削減することが可能であり、マルチパス干渉に対しても優れた耐性を有している。
【０００４】
今後、各国でアナログテレビ放送が停止される予定であり、世界的に周波数再編の動きが活発化しており、欧州では、ＤＶＢ−Ｔ（Ｄｉｇｉｔａｌ  Ｖｉｄｅｏ  Ｂｒｏａｄｃａｓｔｉｎｇ  ｆｏｒ  Ｔｅｒｒｅｓｔｒｉａｌ  ｂｒｏａｄｃａｓｔｉｎｇ）によるＳＤ（Ｓｔａｎｄａｒｄ  Ｄｅｆｉｎｉｔｉｏｎ）放送に加え、ＨＤ（Ｈｉｇｈ  Ｄｅｆｉｎｉｔｉｏｎ）サービスに対する需要が高まっている。これらを受け、第二世代の欧州地上デジタル放送であるＤＶＢ−Ｔ２伝送方式の規格化が進められてきた。なお、ＤＶＢ−Ｔ２伝送方式に関しては、非特許文献１に詳しく記載されている。
【０００５】
ＤＶＢ−Ｔ２伝送方式では、図５０に示すようなＤＶＢ−Ｔ２フレームが用いられ、ＤＶＢ−Ｔ２フレームは、Ｐ１シンボル（Ｐ１信号）とＰ２シンボルとデータシンボルとで構成されている。
Ｐ１シンボルは、ＦＦＴ（Ｆａｓｔ  Ｆｏｕｒｉｅｒ  Ｔｒａｎｓｆｏｒｍ）サイズが１ｋで設定されており、図５１に示すように、有効シンボルの前後にガードインターバルが設けられている。なお、図５１はＰ１シンボルを時間軸で表したものである。以下、有効シンボル区間より手前に設けられたガードインターバル区間を適宜「前側ガードインターバル区間」と称し、有効シンボル区間より後ろに設けられたガードインターバル区間を適宜「後ろ側ガードインターバル区間」と称する。
【０００６】
Ｐ１シンボルのガードインターバルは、これまでのＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）伝送方式やＤＶＢ−Ｔ伝送方式におけるガードインターバルと異なる。Ｐ１シンボルでは、有効シンボル区間より手前に設けられたガードインターバル（前側ガードインターバル区間）には、有効シンボル区間（Ｔａ＝１１２μｓ）内の前側部分（Ｔｃ＝５９μｓ）の信号が複写して挿入され、有効シンボル区間より後ろに設けられたガードインターバル区間（後ろ側ガードインターバル区間）には、有効シンボル区間（Ｔａ＝１１２μｓ）内の後ろ側部分（Ｔｂ＝５３μｓ）の信号が複写して挿入されている。この複写して挿入する際には、図５１及び特許文献１に示されているように、複写元の信号を所定の周波数シフト量ｆSH（Ｐ１シンボルの１サブキャリア間隔分）だけ周波数シフトさせた上でガードインターバル区間に挿入している。これを数式で示すと下記の（数１）のようになる。
【０００７】
【数１】
0005617010.tif 000002
但し、Ｐ１シンボルをｐ１（ｔ）で表し、その有効シンボルをｐ１A（ｔ）で表し、周波数シフト量を＋ｆSHとし、ＩＦＦＴ後の１サンプル時間をＴとしている。ｔは、時間であり、Ｐ１シンボルの開始時間を０としている。なお、ＤＶＢ−Ｔ２伝送方式において、帯域幅８ＭＨｚの場合、Ｔ＝７／６４μｓとなり、有効シンボル区間の時間幅（以下、適宜「有効シンボル長」と称す。）は、１０２４Ｔ＝１１２μｓとなる。
【０００８】
また、Ｐ１シンボルを周波数軸で表すと、図５２に示すように、Ｐ１シンボルは複数のＡｃｔｉｖｅキャリアと複数のＮｕｌｌキャリア（Ｕｎｕｓｅｄキャリア）とで構成されており、Ａｃｔｉｖｅキャリアに情報が付加される。なお図５２では、便宜上、Ｎｕｌｌキャリアも点線の矢印で示しているが、実際は、Ｎｕｌｌキャリアには情報は付加されておらず、Ｎｕｌｌキャリアは振幅を有さない。Ａｃｔｉｖｅキャリアの位置は、特許文献２に示されているように、所定の系列、即ち、ＣＳＳ（Ｃｏｍｐｌｅｍｅｎｔａｒｙ  Ｓｅｔｓ  ｏｆ  Ｓｅｑｕｅｎｃｅ）に基づいて指定されている。
【０００９】
図５３に非特許文献１に開示されている一般的なＰ１シンボルの復調を実施するＰ１シンボル復調部１０００１の構成を示す。Ｐ１シンボル復調部１０００１は、Ｐ１位置検出部１０１０１とＦＦＴ部１０１０２とＰ１デコード部１０１０３とを備える。
Ｐ１位置検出部１０１０１は、Ｐ１位置検出部１０１０１の入力信号（つまり、Ｐ１シンボル復調部１０００１の入力信号）でのＰ１シンボルの位置を検出し、検出結果に基づくＰ１シンボルの位置情報をＦＦＴ部１０１０２へ出力するものであり、その構成を図５４に示す。
【００１０】
Ｐ１位置検出部１０１０１は、乗算器１０２０１と、遅延器１０２０２と、複素共役演算器１０２０３と、乗算器１０２０４と、区間積分演算器１０２０５と、遅延器１０２０６と、複素共役演算器１０２０７と、乗算器１０２０８と、区間積分演算器１０２０９と、遅延器１０２１０と、乗算器１０２１１と、ピーク検出器１０２１２とを備える。
Ｐ１位置検出部１０１０１の入力信号は乗算器１０２０１に入力される。乗算器１０２０１は、送信側で有効シンボル区間の前後のガードインターバル区間の信号に施された周波数シフト量＋ｆSHの周波数シフトとは逆特性の周波数シフト（周波数シフト量−ｆSHの周波数シフト）をＰ１位置検出部１０１０１の入力信号に対して施すために、Ｐ１位置検出部１０１０１の入力信号に対してｅｘｐ（−ｊ２πｆSHｔ）を乗算し、乗算結果を遅延器１０２０２と乗算器１０２０８とへ出力する。遅延器１０２０２は、乗算器１０２０１の出力信号を前側ガードインターバル区間の時間幅（以下、適宜「前側ガードインターバル長」と称す。）に相当する長さＴｃ（＝５９μｓ）だけ遅延させて複素共役演算器１０２０３へ出力する。複素共役演算器１０２０３は、遅延器１０２０２の出力信号の複素共役の信号を求め、求めた複素共役の信号を乗算器１０２０４へ出力する。乗算器１０２０４は、Ｐ１位置検出部１０１０１の入力信号と複素共役演算器１０２０３の出力信号とを乗算することによって相関を算出し、算出した相関値を区間積分演算器１０２０５へ出力する。区間積分演算器１０２０５は、前側ガードインターバル長Ｔｃを区間積分幅として乗算器１０２０４の出力信号に対して区間積分を実施し、区間積分結果を遅延器１０２１０へ出力する。これらの信号の流れを表した模式図を図５５（ａ）〜（ｃ）に示す。図５５（ａ）に示すように、Ｐ１位置検出部１０１０１の入力信号を周波数シフト量−ｆSH周波数シフトさせた上で前側ガードインターバル長Ｔｃ遅延させた信号（図５５（ａ）の下側の信号）の前側ガードインターバル区間の信号は、Ｐ１位置検出部１０１０１の入力信号（図５５（ａ）の上側の信号）の有効シンボル区間内の前側部分の信号と同じ信号となり、その部分に図５５（ｂ）に示すように相関が現れる。なお、それ以外の部分では、両者の信号は同じにならないため、相関が現れない。図５５（ｂ）に示される相関値を前側ガードインターバル長Ｔｃの区間積分幅で区間積分することによって、図５５（ｃ）に示すようにピークが生じる。
【００１１】
また、Ｐ１位置検出部１０１０１の入力信号は遅延器１０２０６に入力され、遅延器１０２０６はＰ１位置検出部１０１０１の入力信号を後ろ側ガードインターバル区間の時間幅（以下、適宜「後ろ側ガードインターバル長」と称す。）に相当する長さＴｂ（＝５３μｓ）だけ遅延させて複素共役演算器１０２０７へ出力する。複素共役演算器１０２０７は、遅延器１０２０６の出力信号の複素共役の信号を求め、求めた複素共役の信号を乗算器１０２０８へ出力する。なお、乗算器１０２０８には、乗算器１０２０１からＰ１位置検出部１０１０１の入力信号に対してｅｘｐ（−ｊ２πｆSHｔ）を乗算した乗算結果が入力されている。乗算器１０２０８は、乗算器１０２０１の出力信号（Ｐ１位置検出部１０１０１の入力信号を周波数シフト量−ｆSH周波数シフトした信号）と複素共役演算器１０２０７の出力信号とを乗算することによって相関を算出し、算出した相関値を区間積分演算器１０２０９へ出力する。区間積分演算器１０２０９は、後ろ側ガードインターバル長Ｔｂを区間積分幅として乗算器１０２０８の出力信号に対して区間積分を実施し、区間積分結果を乗算器１０２１１へ出力する。これらの信号の流れを表した模式図を図５６（ａ）〜（ｃ）に示す。図５６（ａ）に示すように、Ｐ１位置検出部１０１０１の入力信号を周波数シフト量−ｆSH周波数シフトさせた信号（図５６（ａ）の上側の信号）の後ろ側ガードインターバル区間の信号は、Ｐ１位置検出部１０１０１の入力信号を後ろ側ガードインターバル長Ｔｂ遅延させた信号（図５６（ａ）の下側の信号）の有効シンボル区間内の後ろ側部分の信号と同じ信号になるため、その部分に図５６（ｂ）に示すように相関が現れる。なお、それ以外の部分では、両者の信号は同じにならないため、相関が現れない。図５６（ｂ）に示される相関値を後ろ側ガードインターバル長Ｔｂの区間積分幅で区間積分することによって、図５６（ｃ）に示すようにピークが生じる。
【００１２】
区間積分演算器１０２０５の出力信号は遅延器１０２１０に入力され、遅延器１０２１０は区間積分演算器１０２０５の出力信号に対して区間積分演算器１０２０９の出力信号との遅延調整を施して乗算器１０２１１へ出力する。乗算器１０２１１は、区間積分演算器１０２０９の出力信号と遅延器１０２１０の出力信号との乗算を実施し、乗算結果をピーク検出器１０２１２へ出力する。このように、前側ガードインターバル区間に関する相関値の区間積分結果のピークと後ろ側ガードインターバル区間に関する相関値の区間積分結果のピークとを合わせることで、さらにピークを顕著なものにできる。ピーク検出器１０２１２は乗算器１０２１１の出力信号のピーク位置を検出することによってＰ１位置検出部１０１０１の入力信号（つまり、Ｐ１シンボル復調部１０００１の入力信号）でのＰ１シンボルの位置を検出し、検出結果に基づくＰ１シンボルの位置情報を図５３のＦＦＴ部１０１０２へ出力する。なお、遅延波が存在すると、遅延波の箇所にもその遅延波のレベルに対応した相関のピークが出現することになる。
【００１３】
図５３のＦＦＴ部１０１０２は、Ｐ１シンボルの位置情報を基に、Ｐ１シンボル復調部１０００１の入力信号（時間軸上の信号）に対して高速フーリエ変換（ＦＦＴ）を実施して周波数軸上の信号へ変換し、周波数軸上の信号をＰ１デコード部１０１０３へ出力する。Ｐ１デコード部１０１０３は、周波数軸上の信号中のＡｃｔｉｖｅキャリアを用いてＰ１シンボルのデコード処理を実施し、Ｐ１シンボルに付加されたＳ１信号の値及びＳ２信号の値を求め、Ｓ１信号の値及びＳ２信号の値を基にＦＦＴサイズやＭＩＳＯ／ＳＩＳＯ等の情報を取り出す。
【００１４】
ところで、ＤＶＢ−Ｔ２伝送方式においては、将来の他の伝送方式を時間多重で送信できるように、ＦＥＦ（Ｆｕｔｕｒｅ  Ｅｘｔｅｎｓｉｏｎ  Ｆｒａｍｅｓ）が存在する。これにより、ＤＶＢ−Ｔ２伝送方式とは異なる伝送方式の送信が可能となる。ＦＥＦとＤＶＢ−Ｔ２フレームとの配置の関係を図５７に示す。ＦＥＦの先頭部分には、ＤＶＢ−Ｔ２フレームと同様にＰ１シンボルが存在する。但し、ＤＶＢ−Ｔ２伝送方式のＰ１シンボルとは付加されている情報が異なる。このため、ＤＶＢ−Ｔ２伝送方式に準拠した受信機（以下、「ＤＶＢ−Ｔ２受信機」と称す。）は、Ｐ１シンボル復調部１０００１によって、ＦＥＦ区間のＰ１シンボルを復調し、それに付加されている情報を利用して、ＦＥＦ区間を認識することが可能となっている。
【先行技術文献】
【特許文献】
【００１５】
【特許文献１】国際公開第２００９／０６０１８３号
【特許文献２】国際公開第２００９／０７４６９３号
【非特許文献】
【００１６】
【非特許文献１】ＤＶＢ  Ｂｌｕｅ  ｂｏｏｋ  Ｄｏｃｕｍｅｎｔ  Ａ１３３、Ｉｍｐｌｅｍｅｎｔａｔｉｏｎ  ｇｕｉｄｅｌｉｎｅｓ  ｆｏｒ  ａ  ｓｅｃｏｎｄ  ｇｅｎｅｒａｔｉｏｎ  ｄｉｇｉｔａｌ  ｔｅｒｒｅｓｔｒｉａｌ  ｔｅｌｅｖｉｓｉｏｎ  ｂｒｏａｄｃａｓｔｉｎｇ  ｓｙｓｔｅｍ（ＤＶＢ−Ｔ２）
【発明の概要】
【発明が解決しようとする課題】
【００１７】
昨今、ＤＶＢ−Ｓ２や上記のＤＶＢ−Ｔ２の流れを受け、さらなる次世代方式の議論が始まっている。これにあたり、ＦＥＦ区間を利用したサービスも考えられる。その中で、ＦＥＦ区間の先頭にあるＰ１シンボルで送信できる情報が７ビットと少なく、さらにＦＥＦ区間であることを表示する必要があり、情報量はかなり制約を受けるため、新たな伝送方式として、ＦＥＦ区間中にもう一つのＰ１シンボルを送信するということが考えられる。しかしながら、ＦＥＦ区間中にＰ１シンボルを同じ送信フォーマットで複数送信すると、以下の課題がある。ここでは簡単のため、２つのＰ１シンボルを送信することを考える。
【００１８】
Ｐ１シンボルを復調するためには、上述したように、送信側で付加された周波数シフトを元に戻した上でガード相関を得てピークを検出する。この際、２つのＰ１シンボルに対しガード相関が現れるので、ガード相関では、検出されたピークが別々のＰ１シンボルによるものなのか、同じＰ１シンボルの遅延波によるものなのかの区別が付きにくく、Ｐ１シンボルの復調が困難になる課題がある。ＤＶＢ−Ｔ２伝送方式では、Ｐ２シンボルやデータシンボルの最大のガードインターバル長が４８６４サンプル（ＦＦＴサイズが３２ｋ、ガードインターバル比が１９／１２８時）のケースもあり、ガードインターバルによって許容できる遅延波としては、Ｐ１シンボルの２０９８サンプルを大きく上回ることが考えられる。このため、検出されたピークが同じＰ１シンボルの遅延波によるものか別々のＰ１シンボルによるものかを見分けることは重要である。また、既存のＤＶＢ−Ｔ２受信機は、１フレームあたり１つのＰ１シンボルの受信を前提として復調する仕組みで作られているため、ＤＶＢ−Ｔ２受信機が２つ目のＰ１シンボルを受信してしまうことで、復調動作に悪影響を及ぼし、ＤＶＢ−Ｔ２伝送方式自体受信不能に陥ってしまう課題がある。
【００１９】
また、２つのＰ１シンボルが同じサブキャリア配置（Ａｃｔｉｖｅキャリアが配置されるサブキャリアが同じ）で送信され、遅延波が存在する場合、Ｐ１シンボルのＡｃｔｉｖｅキャリアに電力が集中しているため、遅延波による２つのＰ１シンボル同士の干渉が、Ｐ１シンボルと通常のデータシンボルとの干渉に比べて大きくなる。例えば、Ｐ１シンボルと通常のデータシンボルの遅延波との干渉の場合は、データシンボルにはＮｕｌｌキャリアがほとんどないため、図５８に示すように、Ｐ１シンボルではＮｕｌｌキャリアもＡｃｔｉｖｅキャリアも影響を受ける。これに対して、Ｐ１シンボル同士の干渉の場合は、図５９に示すように、Ａｃｔｉｖｅキャリアばかり干渉を受ける。Ｐ１シンボルはＮｕｌｌキャリアが多く存在するため、通常のデータシンボルの１サブキャリアよりもＡｃｔｉｖｅキャリアの電力が大きくなっており、同じ遅延波電力でも、Ａｃｔｉｖｅキャリア単位での干渉の受け方は、データシンボルによる干渉よりも大きなものになる。このように、２つのＰ１シンボルを同じサブキャリア配置で送信すると、遅延環境下で、Ｐ１シンボルの復調誤りがおき、正しく受信ができなくなってしまうという課題がある。
【００２０】
そこで、本発明は、既存のＤＶＢ−Ｔ２受信機の受信に影響を与えず、複数の制御シンボル（例えば、Ｐ１シンボル）の区別を安易にし、又は、遅延環境においても安定した制御シンボルの復調を可能にする複数の制御シンボルを生成するＯＦＤＭ送信装置、ＯＦＤＭ送信方法、集積回路、及びＯＦＤＭ送信プログラム、並びに、これらによって送信された制御シンボルを含む信号を的確に受信できるＯＦＤＭ受信装置、ＯＦＤＭ受信方法、集積回路、及びＯＦＤＭ受信プログラムを提供することを目的とする。
【課題を解決するための手段】
【００２１】
上記目的を達成するために、本発明のＯＦＤＭ送信装置は、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成部と、前記制御シンボルとは別の複数のシンボルを生成する第２シンボル生成部と、前記複数のシンボルに前記Ｎ個の制御シンボルを挿入する挿入部と、を有し、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じである。
【００２２】
また、本発明のＯＦＤＭ受信装置は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１シンボル復調部と、前記第１シンボル復調部での復調結果に基づいて前記制御シンボルとは別のシンボルを復調する第２シンボル復調部と、を有し、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じである。
【発明の効果】
【００２３】
これらによれば、Ｎ個の制御シンボルを送信する場合に、受信側において、互いに異なる制御シンボルか同じ制御シンボルの遅延波かの区別を安易にし、安定した受信が可能となる。また、ＦＥＦ区間にＮ個の制御シンボルを送信する際には、既存のＤＶＢ−Ｔ２受信機の受信に影響を与えず、安定した受信が可能となる。
【図面の簡単な説明】
【００２４】
【図１】本発明の第１の実施の形態におけるＯＦＤＭ送信装置１の構成を示すブロック図。
【図２】図１のＰ１シンボル生成部１１の構成を示すブロック図。
【図３】図２の第一Ｐ１シンボル生成部１００の構成を示すブロック図。
【図４】Ａｃｔｉｖｅキャリアのサブキャリア番号を示す図。
【図５】Ｓ１信号の値及びＳ２信号の値に対するＭＳＳシグナリング変換の変換系列（シーケンス系列）を示す図。
【図６】図３のガードインターバル付加部１０７による第一Ｐ１シンボルのガードインターバルの付加の様子を表す模式図（時間軸）。
【図７】図２の第二Ｐ１シンボル生成部２００の構成を示すブロック図。
【図８】図７のガードインターバル付加部２０７による第二Ｐ１シンボルのガードインターバルの付加の様子を表す模式図（時間軸）。
【図９】第一Ｐ１シンボルと第二Ｐ１シンボルを用いた伝送方式のフレームの構造を示す模式図。
【図１０】本発明の第１の実施の形態におけるＯＦＤＭ受信装置２の構成を示すブロック図。
【図１１】図１０のＰ１シンボル復調部２６の構成を示すブロック図。
【図１２】図１１の第一Ｐ１シンボル復調部３００の構成を示すブロック図。
【図１３】図１２のＰ１位置検出部３０１の構成を示すブロック図。
【図１４】図１１の第二Ｐ１シンボル復調部４００の構成を示すブロック図。
【図１５】図１４のＰ１位置検出部４０１の構成を示すブロック図。
【図１６】図１５のＰ１位置検出部４０１における第二Ｐ１シンボルの前側部分の相関の様子を表す模式図。
【図１７】図１５のＰ１位置検出部４０１における第二Ｐ１シンボルの後ろ側部分の相関の様子を表す模式図。
【図１８】図１３の第一Ｐ１シンボル復調部３００のＰ１位置検出部３０１における第二Ｐ１シンボルの前側部分の相関の様子を表す模式図。
【図１９】図１３の第一Ｐ１シンボル復調部３００のＰ１位置検出部３０１における第二Ｐ１シンボルの後ろ側部分の相関の様子を表す模式図。
【図２０】第２の実施の形態におけるＯＦＤＭ送信装置のＰ１シンボル生成部１１Ａの構成を示すブロック図。
【図２１】図２０の第二Ｐ１シンボル生成部２００Ａの構成を示すブロック図。
【図２２】図２１のガードインターバル付加部２０７Ａによる第二Ｐ１シンボルのガードインターバルの付加の様子を表す模式図（時間軸）。
【図２３】第２の実施の形態におけるＯＦＤＭ受信装置のＰ１シンボル復調部２６Ａの構成を示すブロック図。
【図２４】図２３の第二Ｐ１シンボル復調部４００Ａの構成を示すブロック図。
【図２５】図２４のＰ１位置検出部４０１Ａの構成を示すブロック図。
【図２６】図２５のＰ１位置検出部４０１Ａにおける第二Ｐ１シンボルの前側部分の相関の様子を表す模式図。
【図２７】図２５のＰ１位置検出部４０１Ａにおける第二Ｐ１シンボルの後ろ側部分の相関の様子を表す模式図。
【図２８】図２３の第一Ｐ１シンボル復調部３００のＰ１位置検出部３０１（図１３）における第二Ｐ１シンボルの前側部分の相関の様子を表す模式図。
【図２９】図２３の第一Ｐ１シンボル復調部３００のＰ１位置検出部３０１（図１３）における第二Ｐ１シンボルの後ろ側部分の相関の様子を表す模式図。
【図３０】第３の実施の形態におけるＯＦＤＭ送信装置のＰ１シンボル生成部１１Ｂの構成を示すブロック図。
【図３１】図３０の第二Ｐ１シンボル生成部２００Ｂの構成を示すブロック図。
【図３２】図３１のガードインターバル付加部２０７Ｂによる第二Ｐ１シンボルのガードインターバルの付加の様子を表す模式図（時間軸）。
【図３３】第３の実施の形態におけるＯＦＤＭ受信装置のＰ１シンボル復調部２６Ｂの構成を示すブロック図。
【図３４】図３３の第二Ｐ１シンボル復調部４００Ｂの構成を示すブロック図。
【図３５】図３４のＰ１位置検出部４０１Ｂの構成を示すブロック図。
【図３６】第４の実施の形態におけるＯＦＤＭ送信装置のＰ１シンボル生成部１１Ｃの構成を示すブロック図。
【図３７】図３６の第二Ｐ１シンボル生成部２００Ｃの構成を示すブロック図。
【図３８】キャリア配置系列ａ［ｊ］とキャリア配置系列ｂ［ｊ］とが直交する（無相関の）場合の、第一Ｐ１シンボルと第二Ｐ１シンボルのサブキャリア配置の例を示す模式図（周波数軸）。
【図３９】第一Ｐ１シンボルのＮｕｌｌキャリアの一部を第二Ｐ１シンボルのＡｃｔｉｖｅキャリアとする場合の、第一Ｐ１シンボルのサブキャリア配置と第二Ｐ１シンボルのサブキャリア配置の例を示す模式図（周波数軸）。
【図４０】第４の実施の形態におけるＯＦＤＭ受信装置のＰ１シンボル復調部２６Ｃの構成を示すブロック図。
【図４１】図４０の第二Ｐ１シンボル復調部２６Ｃの構成を示すブロック図
【図４２】遅延環境における、第一Ｐ１シンボルと第二Ｐ１シンボルの干渉の模様を表す模式図。
【図４３】図９と異なるフレームの構造を示す模式図。
【図４４】図９とは異なるフレームの構造を示す模式図。
【図４５】他のＰ１シンボル復調部２６Ｄの構成を示すブロック図。
【図４６】他のＰ１シンボル復調部２６Ｅの構成を示すブロック図。
【図４７】図４６のＰ１相関演算部３０１Ｅの構成を示すブロック図。
【図４８】図４６のＰ１相関演算部４０１Ｅの構成を示すブロック図。
【図４９】（ａ）は第一Ｐ１シンボルの時間軸の送信フォーマットを表す模式図であり、（ｂ）は第二Ｐ１シンボルの時間軸の送信フォーマットを表す模式図。
【図５０】ＤＶＢ−Ｔ２伝送フォーマットのフレーム構造を表す模式図。
【図５１】Ｐ１シンボルの時間軸の送信フォーマットを表す模式図。
【図５２】Ｐ１シンボルの周波数軸の送信フォーマットを表す模式図。
【図５３】非特許文献１のＰ１シンボル復調部１０００１の構成を示すブロック図。
【図５４】図５３のＰ１位置検出部１０１０１の構成を示すブロック図。
【図５５】図５４のＰ１位置検出部１０１０１におけるＰ１シンボルの前半部分の相関の様子を表す模式図。
【図５６】図５４のＰ１位置検出部１０１０１におけるＰ１シンボルの後半部分の相関の様子を表す模式図。
【図５７】ＤＶＢ−Ｔ２フレームとＦＥＦ区間の構造を示す模式図。
【図５８】遅延環境におけるＰ１シンボルとデータシンボルとの干渉の模様を表す模式図。
【図５９】遅延環境における一のＰ１シンボルと他のＰ１シンボルとの干渉の模様を表す模式図。
【発明を実施するための形態】
【００２５】
本発明の一様態である第１のＯＦＤＭ送信装置は、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成部と、前記制御シンボルとは別の複数のシンボルを生成する第２シンボル生成部と、前記複数のシンボルに前記Ｎ個の制御シンボルを挿入する挿入部と、を有し、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じである。
【００２６】
本発明の一態様である第１のＯＦＤＭ送信方法は、互いに直交する複数のサブキャリアを多重し、有効シンボル区間の時間軸の信号とガードインターバル区間の時間軸の信号とで構成されるＮ（Ｎは２以上の整数）個の制御シンボルを生成する第１シンボル生成ステップと、前記制御シンボルとは別の複数のシンボルを生成する第２シンボル生成ステップと、前記複数のシンボルに前記Ｎ個の制御シンボルを挿入する挿入ステップと、を有し、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じである。
【００２７】
本発明の一態様である第１の集積回路は、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成回路と、前記制御シンボルとは別の複数のシンボルを生成する第２シンボル生成回路と、前記複数のシンボルに前記Ｎ個の制御シンボルを挿入する挿入回路と、を有し、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じである。
【００２８】
本発明の一態様である第１のＯＦＤＭ送信プログラムは、互いに直交する複数のサブキャリアを多重し、有効シンボル区間の時間軸の信号とガードインターバル区間の時間軸の信号とで構成されるＮ（Ｎは２以上の整数）個の制御シンボルを生成する第１シンボル生成ステップと、前記制御シンボルとは別の複数のシンボルを生成する第２シンボル生成ステップと、前記複数のシンボルに前記Ｎ個の制御シンボルを挿入する挿入ステップと、をＯＦＤＭ送信装置に実行させるＯＦＤＭ送信プログラムであり、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じであることを特徴とする。
【００２９】
これらによれば、Ｎ個の制御シンボルを送信する場合に、受信側において、互いに異なる制御シンボルか同じ制御シンボルの遅延波かの区別を安易にし、安定した受信が可能となる。また、ＦＥＦ区間にＮ個の制御シンボルを送信する際には、既存のＤＶＢ−Ｔ２受信機の受信に影響を与えず、安定した受信が可能となる。
本発明の一態様である第２のＯＦＤＭ送信装置は、第１のＯＦＤＭ送信装置において、前記第１シンボル生成部は、前記Ｎ個の制御シンボルの夫々に関して、周波数軸上の信号を時間軸上の信号に逆直交変換することによって前記有効シンボル区間の時間軸上の信号を生成する逆直交変換部と、前記Ｎ個の制御シンボルの夫々に関して、前記有効シンボル区間の時間軸上の信号の少なくとも一部を他の制御シンボルと異なる周波数シフト量で周波数シフトすることによって前記ガードインターバル区間の時間軸上の信号を生成し、生成した前記ガードインターバル区間の時間軸上の信号を前記有効シンボル区間の時間軸上の信号に付加するガードインターバル付加部と、を有する。
【００３０】
これによれば、Ｎ個の制御シンボルの生成を簡易に行うことができる。
本発明の一態様である第３のＯＦＤＭ送信装置は、第２のＯＦＤＭ送信装置において、前記ガードインターバル付加部は、前記有効シンボル区間の時間軸上の信号うちの他の制御シンボルと異なる箇所、時間幅、又は、箇所及び時間幅の信号を前記周波数シフト量で周波数シフトすることによって、前記ガードインターバル区間の時間軸上の信号を生成する。
【００３１】
これによれば、Ｎ個の制御シンボルを送信する場合に、受信側において、互いに異なる制御シンボルか同じ制御シンボルの遅延波かの区別をより安易にし、より安定した受信が可能となる。また、ＦＥＦ区間にＮ個の制御シンボルを送信する際には、既存のＤＶＢ−Ｔ２受信機の受信に影響を与えず、より安定した受信が可能となる。
本発明の一態様である第４のＯＦＤＭ送信装置は、第２のＯＦＤＭ送信装置において、前記複数のサブキャリアは複数のＡｃｔｉｖｅキャリアと複数のＮｕｌｌキャリアとで構成されており、前記Ｎ個の制御シンボルの夫々に関する前記複数のサブキャリアの各々をＡｃｔｉｖｅキャリアとＮｕｌｌキャリアとに区別するためのキャリア配置系列が他の制御シンボルに関するキャリア配置系列と異なっており、前記第１シンボル生成部は、前記Ｎ個の制御シンボルの夫々に関して、前記キャリア配置系列に基づいて前記複数のＡｃｔｉｖｅキャリアの夫々に制御情報のデータをマッピングすることによって前記周波数軸上の信号を生成するキャリア配置部を更に有する。
【００３２】
これによれば、Ｎ個の制御シンボルを送信する場合に、受信側において、遅延環境下においても、遅延に伴う制御シンボル同士の干渉成分を少なくし、安定した受信が可能となる。
本発明の一様態である第５のＯＦＤＭ送信装置は、第１のＯＦＤＭ送信装置において、前記Ｎは２である。
【００３３】
本発明の一様態である第６のＯＦＤＭ送信装置は、第５のＯＦＤＭ送信装置において、一方の前記制御シンボルに関する前記周波数シフト量と、他方の制御シンボルに関する周波数シフト量とでは、絶対値が同じで符号が異なる。
これらは、Ｎの数の一例、２つの制御シンボルの夫々での周波数シフト量の一例を提供するものである。
【００３４】
本発明の一様態である第７のＯＦＤＭ送信装置は、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成部と、前記制御シンボルとは別の複数のシンボルを生成する第２シンボル生成部と、前記複数のシンボルに前記Ｎ個の制御シンボルを挿入する挿入部と、を有し、各前記制御シンボルにおいて、前記ガードインターバル区間の時間軸上の信号は、前記有効シンボル区間の時間軸上の信号のうちの他の制御シンボルと異なる箇所、時間幅、又は、箇所及び時間幅の信号を所定の周波数シフト量で周波数シフトした信号と同じである。
【００３５】
本発明の一態様である第２のＯＦＤＭ送信方法は、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成ステップと、前記制御シンボルとは別の複数のシンボルを生成する第２シンボル生成ステップと、前記複数のシンボルに前記Ｎ個の制御シンボルを挿入する挿入ステップと、を有し、各前記制御シンボルにおいて、前記ガードインターバル区間の時間軸上の信号は、前記有効シンボル区間の時間軸上の信号のうちの他の制御シンボルと異なる箇所、時間幅、又は、箇所及び時間幅の信号を所定の周波数シフト量で周波数シフトした信号と同じである。
【００３６】
本発明の一態様である第２の集積回路は、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成回路と、前記制御シンボルとは別の複数のシンボルを生成する第２シンボル生成回路と、前記複数のシンボルに前記Ｎ個の制御シンボルを挿入する挿入回路と、を有し、各前記制御シンボルにおいて、前記ガードインターバル区間の時間軸上の信号は、前記有効シンボル区間の時間軸上の信号のうちの他の制御シンボルと異なる箇所、時間幅、又は、箇所及び時間幅の信号を所定の周波数シフト量で周波数シフトした信号と同じである。
【００３７】
本発明の一態様である第２のＯＦＤＭ送信プログラムは、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成ステップと、前記制御シンボルとは別の複数のシンボルを生成する第２シンボル生成ステップと、前記複数のシンボルに前記Ｎ個の制御シンボルを挿入する挿入ステップと、をＯＦＤＭ送信装置に実行させるＯＦＤＭ送信プログラムであり、各前記制御シンボルにおいて、前記ガードインターバル区間の時間軸上の信号は、前記有効シンボル区間の時間軸上の信号のうちの他の制御シンボルと異なる箇所、時間幅、又は、箇所及び時間幅の信号を所定の周波数シフト量で周波数シフトした信号と同じである。
【００３８】
これらによれば、Ｎ個の制御シンボルを送信する場合に、受信側において、互いに異なる制御シンボルか同じ制御シンボルの遅延波かの区別を安易にし、安定した受信が可能となる。また、ＦＥＦ区間にＮ個の制御シンボルを送信する際には、既存のＤＶＢ−Ｔ２受信機の受信に影響を与えず、安定した受信が可能となる。
本発明の一態様である第８のＯＦＤＭ送信装置は、第７のＯＦＤＭ送信装置において、前記第１シンボル生成部は、前記Ｎ個の制御シンボルの夫々に関して、周波数軸上の信号を時間軸上の信号に逆直交変換することによって前記有効シンボル区間の時間軸上の信号を生成する逆直交変換部と、前記Ｎ個の制御シンボルの夫々に関して、前記有効シンボル区間の時間軸上の信号のうちの他の制御シンボルと異なる箇所、時間幅、又は、箇所及び時間幅の信号を所定の周波数シフト量で周波数シフトすることによって前記ガードインターバル区間の時間軸上の信号を生成し、生成した前記ガードインターバル区間の時間軸上の信号を前記有効シンボル区間の時間軸上の信号に付加するガードインターバル付加部と、を有する。
【００３９】
これによれば、Ｎ個の制御シンボルの生成を簡易に行うことができる。
本願発明の一様態である第９のＯＦＤＭ送信装置は、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成部と、前記制御シンボルとは別の複数のシンボルを生成する第２シンボル生成部と、前記複数のシンボルに前記Ｎ個の制御シンボルを挿入する挿入部と、を有し、前記複数のサブキャリアは複数のＡｃｔｉｖｅキャリアと複数のＮｕｌｌキャリアとで構成されており、前記Ｎ個の制御シンボルの夫々に関する前記複数のサブキャリアの各々をＡｃｔｉｖｅキャリアとＮｕｌｌキャリアとに区別するためのキャリア配置系列が他の制御シンボルに関するキャリア配置系列と異なっており、前記Ｎ個の制御シンボルの夫々では、前記キャリア配置系列に基づいて前記複数のＡｃｔｉｖｅキャリアの夫々に制御情報のデータがマッピングされている。
【００４０】
本発明の一態様である第３のＯＦＤＭ送信方法は、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成ステップと、前記制御シンボルとは別の複数のシンボルを生成する第２シンボル生成ステップと、前記複数のシンボルに前記Ｎ個の制御シンボルを挿入する挿入ステップと、を有し、前記複数のサブキャリアは複数のＡｃｔｉｖｅキャリアと複数のＮｕｌｌキャリアとで構成されており、前記Ｎ個の制御シンボルの夫々に関する前記複数のサブキャリアの各々をＡｃｔｉｖｅキャリアとＮｕｌｌキャリアとに区別するためのキャリア配置系列が他の制御シンボルに関するキャリア配置系列と異なっており、前記Ｎ個の制御シンボルの夫々では、前記キャリア配置系列に基づいて前記複数のＡｃｔｉｖｅキャリアの夫々に制御情報のデータがマッピングされている。
【００４１】
本発明の一態様である第３の集積回路は、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成回路と、前記制御シンボルとは別の複数のシンボルを生成する第２シンボル生成回路と、前記複数のシンボルに前記Ｎ個の制御シンボルを挿入する挿入回路と、を有し、前記複数のサブキャリアは複数のＡｃｔｉｖｅキャリアと複数のＮｕｌｌキャリアとで構成されており、前記Ｎ個の制御シンボルの夫々に関する前記複数のサブキャリアの各々をＡｃｔｉｖｅキャリアとＮｕｌｌキャリアとに区別するためのキャリア配置系列が他の制御シンボルに関するキャリア配置系列と異なっており、前記Ｎ個の制御シンボルの夫々では、前記キャリア配置系列に基づいて前記複数のＡｃｔｉｖｅキャリアの夫々に制御情報のデータがマッピングされている。
【００４２】
本発明の一態様である第３のＯＦＤＭ送信プログラムは、互いに直交する複数のサブキャリアを多重し、有効シンボル区間の時間軸上の信号とガードインターバル区間の時間軸上の信号とで構成されるＮ（Ｎは２以上の整数）個の制御シンボルを生成する第１シンボル生成ステップと、前記制御シンボルとは別の複数のシンボルを生成する第２シンボル生成ステップと、前記複数のシンボルに前記Ｎ個の制御シンボルを挿入する挿入ステップと、をＯＦＤＭ送信装置に実行させるＯＦＤＭ送信プログラムであり、前記複数のサブキャリアは複数のＡｃｔｉｖｅキャリアと複数のＮｕｌｌキャリアとで構成されており、前記Ｎ個の制御シンボルの夫々に関する前記複数のサブキャリアの各々をＡｃｔｉｖｅキャリアとＮｕｌｌキャリアとに区別するためのキャリア配置系列が他の制御シンボルに関するキャリア配置系列と異なっており、前記Ｎ個の制御シンボルの夫々では、前記キャリア配置系列に基づいて前記複数のＡｃｔｉｖｅキャリアの夫々に制御情報のデータがマッピングされている。
【００４３】
これらによれば、Ｎ個の制御シンボルを送信する場合に、受信側において、遅延環境下においても、遅延に伴う制御シンボル同士の干渉成分を少なくし、安定した受信が可能となる。さらにＮ個の制御シンボルをＦＥＦ区間を用いて送信する際には、既存のＤＶＢ−Ｔ２受信機の受信に影響を与えず、安定した受信が可能となる。
本発明の一態様である第１０のＯＦＤＭ送信装置は、第９のＯＦＤＭ送信装置において、前記第１シンボル生成部は、前記Ｎ個の制御シンボルの夫々に関して、前記キャリア配置系列に基づいて前記複数のＡｃｔｉｖｅキャリアの夫々に制御情報のデータをマッピングすることによって周波数軸上の信号を生成するキャリア配置部と、前記Ｎ個の制御シンボルの夫々に関して、前記周波数軸上の信号を時間軸上の信号に逆直交変換することによって前記有効シンボル区間の時間軸上の信号を生成する逆直交変換部と、前記Ｎ個の制御シンボルの夫々に関して、前記有効シンボル区間の時間軸上の信号の少なくとも一部を所定の周波数シフト量で周波数シフトすることによって前記ガードインターバル区間の時間軸上の信号を生成し、生成した前記ガードインターバル区間の時間軸上の信号を前記有効シンボル区間の時間軸上の信号に付加するガードインターバル付加部と、を有する。
【００４４】
これによれば、Ｎ個の制御シンボルの生成を簡易に行うことができる。
本発明の一様態である第１１のＯＦＤＭ送信装置は、第９のＯＦＤＭ送信装置において、前記Ｎ個の制御シンボルの夫々に関する前記キャリア配置系列は、他の制御シンボルに関する前記キャリア配置系列と直交する系列である。
本発明の一様態である第１２のＯＦＤＭ送信装置は、第９のＯＦＤＭ送信装置において、前記Ｎ個の制御シンボルの夫々に関する前記キャリア配置系列での複数のＡｃｔｉｖｅキャリアは、他の制御シンボルに関する前記キャリア配置系列ではＮｕｌｌキャリアである。
【００４５】
これらは、Ｎ個の制御シンボルの夫々でのキャリア配置系列の一例を提供するものである。
本発明の一様態である第１のＯＦＤＭ受信装置は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１シンボル復調部と、前記第１シンボル復調部での復調結果に基づいて前記制御シンボルとは別のシンボルを復調する第２シンボル復調部と、を有し、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じである。
【００４６】
本発明の一態様である第１のＯＦＤＭ受信方法は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１復調ステップと、前記第１復調ステップでの復調結果に基づいて前記制御シンボルとは別のシンボルを復調する第２シンボル復調ステップと、を有し、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じである。
【００４７】
本発明の一態様である第４の集積回路は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する制御シンボル復調回路と、前記第１シンボル復調回路での復調結果に基づいて前記制御シンボルとは別のシンボルを復調する第２シンボル復調回路と、を有し、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じである。
【００４８】
本発明の一態様である第１のＯＦＤＭ受信プログラムは、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１復調ステップと、前記第１復調ステップでの復調結果に基づいて前記制御シンボルとは別のシンボルを復調する第２シンボル復調ステップと、をＯＦＤＭ受信装置に実行させるＯＦＤＭ受信プログラムであり、各前記制御シンボルにおいて、前記ガードインターバル区間の時間軸上の信号は、前記有効シンボル区間の時間軸上の信号の少なくとも一部を他の制御シンボルと異なる周波数シフト量で周波数シフトした信号と同じである。
【００４９】
これらによれば、互いに異なる制御シンボルか同じ制御シンボルの遅延波かの区別を安易にでき、安定した受信が可能となる。
本発明の一様態である第２のＯＦＤＭ受信装置は、第１のＯＦＤＭ受信装置において、前記第１シンボル復調部は、受信信号における前記Ｎ個の制御シンボルの中から予め決められた少なくとも一つの制御シンボルの位置を検出することによって前記Ｎ個の制御シンボルの復調を実施する。
【００５０】
これによれば、制御シンボルの位置を検出して制御シンボルの復調が可能になる。
本発明の一様態である第３のＯＦＤＭ受信装置は、第２のＯＦＤＭ受信装置において、前記第１シンボル復調部は、前記受信信号と、位置検出が行われる前記制御シンボルに送信側で施された前記周波数シフト量の周波数シフトとは逆特性の周波数シフトをこの受信信号に施した信号と、の相関を算出することによって、この制御シンボルの位置検出を行う。
【００５１】
これによれば、送信側で施された周波数シフトを考慮した制御シンボルの位置検出を行うことができる。
本発明の一様態である第４のＯＦＤＭ受信装置は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１シンボル復調部と、前記第１シンボル復調部での復調結果に基づいて前記制御シンボルとは別のシンボルを復調する第２シンボル復調部と、を有し、各前記制御シンボルにおいて、前記ガードインターバル区間の時間軸上の信号は、前記有効シンボル区間の時間軸上の信号のうちの他の制御シンボルと異なる箇所、時間幅、又は、箇所及び時間幅の信号を所定の周波数シフト量で周波数シフトした信号と同じである。
【００５２】
本発明の一態様である第２のＯＦＤＭ受信方法は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１復調ステップと、前記第１復調ステップでの復調結果に基づいて前記制御シンボルとは別のシンボルを復調する第２シンボル復調ステップと、を有し、各前記制御シンボルにおいて、前記ガードインターバル区間の時間軸上の信号は、前記有効シンボル区間の時間軸上の信号のうちの他の制御シンボルと異なる箇所、時間幅、又は、箇所及び時間幅の信号を所定の周波数シフト量で周波数シフトした信号と同じである。
【００５３】
本発明の一態様である第５の集積回路は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する制御シンボル復調回路と、前記第１シンボル復調回路での復調結果に基づいて前記制御シンボルとは別のシンボルを復調する第２シンボル復調回路と、を有し、各前記制御シンボルにおいて、前記ガードインターバル区間の時間軸上の信号は、前記有効シンボル区間の時間軸上の信号のうちの他の制御シンボルと異なる箇所、時間幅、又は、箇所及び時間幅の信号を所定の周波数シフト量で周波数シフトした信号と同じである。
【００５４】
本発明の一態様である第２のＯＦＤＭ受信プログラムは、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１復調ステップと、前記第１復調ステップでの復調結果に基づいて前記制御シンボルとは別のシンボルを復調する第２シンボル復調ステップと、をＯＦＤＭ受信装置に実行させるＯＦＤＭ受信プログラムであり、各前記制御シンボルにおいて、前記ガードインターバル区間の時間軸上の信号は、前記有効シンボル区間の時間軸上の信号のうちの他の制御シンボルと異なる箇所、時間幅、又は、箇所及び時間幅の信号を所定の周波数シフト量で周波数シフトした信号と同じである。
【００５５】
これらによれば、互いに異なる制御シンボルか同じ制御シンボルの遅延波かの区別を安易にでき、安定した受信が可能となる。
本発明の一様態である第５のＯＦＤＭ受信装置は、第４のＯＦＤＭ受信装置において、前記第１シンボル復調部は、受信信号における前記Ｎ個の制御シンボルの中から予め決められた少なくとも一つの制御シンボルの位置を検出することによって前記Ｎ個の制御シンボルの復調を実施する。
【００５６】
これによれば、制御シンボルの位置を検出して制御シンボルの復調が可能になる。
本発明の一様態である第６のＯＦＤＭ受信装置は、第５のＯＦＤＭ受信装置において、前記第１シンボル復調部は、前記受信信号と、位置検出が行われる前記制御シンボルに送信側で施された前記周波数シフト量の周波数シフトとは逆特性の周波数シフトをこの受信信号に施した信号と、の相関を、この制御シンボルにおける前記箇所、時間幅、又は、箇所及び時間幅に基づき実施することによって、この制御シンボルの位置検出を行う。
【００５７】
これによれば、送信側で施された周波数シフト、ガードインターバル区間の信号の生成元を考慮した制御シンボルの位置検出を行うことができる。
本発明の一様態である第７のＯＦＤＭ受信装置は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１シンボル復調部と、前記第１シンボル復調部での復調結果に基づいて前記制御シンボルとは別のシンボルを復調する第２シンボル復調部と、を有し、前記複数のサブキャリアは複数のＡｃｔｉｖｅキャリアと複数のＮｕｌｌキャリアとで構成されており、前記Ｎ個の制御シンボルの夫々に関する前記複数のサブキャリアの各々をＡｃｔｉｖｅキャリアとＮｕｌｌキャリアとに区別するためのキャリア配置系列が他の制御シンボルに関するキャリア配置系列と異なっており、前記Ｎ個の制御シンボルの夫々では、前記キャリア配置系列に基づいて前記複数のＡｃｔｉｖｅキャリアの夫々に制御情報のデータがマッピングされている。
【００５８】
本発明の一態様である第３のＯＦＤＭ受信方法は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１復調ステップと、前記第１復調ステップでの復調結果に基づいて前記制御シンボルとは別のシンボルを復調する第２シンボル復調ステップと、を有し、前記複数のサブキャリアは複数のＡｃｔｉｖｅキャリアと複数のＮｕｌｌキャリアとで構成されており、前記Ｎ個の制御シンボルの夫々に関する前記複数のサブキャリアの各々をＡｃｔｉｖｅキャリアとＮｕｌｌキャリアとに区別するためのキャリア配置系列が他の制御シンボルに関するキャリア配置系列と異なっており、前記Ｎ個の制御シンボルの夫々では、前記キャリア配置系列に基づいて前記複数のＡｃｔｉｖｅキャリアの夫々に制御情報のデータがマッピングされている。
【００５９】
本発明の一態様である第６の集積回路は、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する制御シンボル復調回路と、前記第１シンボル復調回路での復調結果に基づいて前記制御シンボルとは別のシンボルを復調する第２シンボル復調回路と、を有し、前記複数のサブキャリアは複数のＡｃｔｉｖｅキャリアと複数のＮｕｌｌキャリアとで構成されており、前記Ｎ個の制御シンボルの夫々に関する前記複数のサブキャリアの各々をＡｃｔｉｖｅキャリアとＮｕｌｌキャリアとに区別するためのキャリア配置系列が他の制御シンボルに関するキャリア配置系列と異なっており、前記Ｎ個の制御シンボルの夫々では、前記キャリア配置系列に基づいて前記複数のＡｃｔｉｖｅキャリアの夫々に制御情報のデータがマッピングされている。
【００６０】
本発明の一態様である第３のＯＦＤＭ受信プログラムは、互いに直交する複数のサブキャリアを多重し、有効シンボル区間の時間軸上の信号とガードインターバル区間の時間軸上の信号とで構成されるＮ（Ｎは２以上の整数）個の制御シンボルを復調する第１復調ステップと、前記第１復調ステップでの復調結果に基づいて前記制御シンボルとは別のシンボルを復調する第２シンボル復調ステップと、をＯＦＤＭ受信装置に実行させるＯＦＤＭ受信プログラムであり、前記複数のサブキャリアは複数のＡｃｔｉｖｅキャリアと複数のＮｕｌｌキャリアとで構成されており、前記Ｎ個の制御シンボルの夫々に関する前記複数のサブキャリアの各々をＡｃｔｉｖｅキャリアとＮｕｌｌキャリアとに区別するためのキャリア配置系列が他の制御シンボルに関するキャリア配置系列と異なっており、前記Ｎ個の制御シンボルの夫々では、前記キャリア配置系列に基づいて前記複数のＡｃｔｉｖｅキャリアの夫々に制御情報のデータがマッピングされている。
【００６１】
これらによれば、互いに異なる制御シンボルか同じ制御シンボルの遅延波かの区別を安易にでき、安定した受信が可能となる。
以下、本発明の実施の形態について図面を参照して説明する。
≪第１の実施の形態≫
以下、本発明の第１の実施の形態のＯＦＤＭ送信装置１及びＯＦＤＭ受信装置２について図面を参照して説明する。第１及び後述する第２から第４の実施の形態では、一例として第二世代欧州地上デジタル放送規格であるＤＶＢ−Ｔ２伝送方式およびＦＥＦ区間のＰ１シンボルを例に挙げて説明を行う。
【００６２】
＜ＯＦＤＭ送信装置＞
図１は、第１の実施の形態におけるＯＦＤＭ送信装置１の構成を示すブロック図であり、ＯＦＤＭ送信装置１は、Ｐ１シンボル生成部１１と、データシンボル生成部１２と、Ｐ１シンボル挿入部１３とを備える。Ｐ１シンボル生成部１１は、図面を参照して後述するように、２つのＰ１シンボルを生成してＰ１シンボル挿入部１３へ出力する。データシンボル生成部１２は、入力データ（例えば、Ｐ１シンボルで送信するデータ以外のデータ）に対して、符号化、変調、パイロット挿入、ガードインターバル付加、等の処理を実施することによってＰ１シンボルとは別の複数のデータシンボルを生成してＰ１シンボル挿入部１３へ出力する。Ｐ１シンボル挿入部１３は、データシンボル生成部１２で生成されたデータシンボルの間にＰ１シンボル生成部１１で生成されたＰ１シンボルを挿入して出力する。Ｐ１シンボル挿入部１３の出力信号は、ＯＦＤＭ送信装置１の不図示の処理部によって、デジタル信号からアナログ信号への変換、送信周波数帯へのアップコンバートなどの処理が施された後、送信される。なお、ＯＦＤＭ送信装置１は、Ｐ１シンボル生成部１１に特徴があり、その他の部分は必要に応じて適宜変更或いは削除し、他の構成を適宜追加可能である（他の本発明に関連するＯＦＤＭ送信装置においても同様）。例えば、データシンボル生成部１２を、Ｐ１シンボルとは別のシンボルを生成するシンボル生成部に置き換えてもよく、別のシンボルの一部がデータシンボルであっても良い。
【００６３】
［Ｐ１シンボル生成部］
図２は、図１のＰ１シンボル生成部１１の構成を示すブロック図であり、Ｐ１シンボル生成部１１は、第一Ｐ１シンボル生成部１００と第二Ｐ１シンボル生成部２００とを備える。
第一Ｐ１シンボル生成部１００は、図面を参照して後述するように、Ｐ１シンボル（以下、「第一Ｐ１シンボル」と称す。）を生成して図１のＰ１シンボル挿入部１３へ出力する。第二Ｐ１シンボル生成部２００は、図面を参照して後述するように、Ｐ１シンボル（以下、「第二Ｐ１シンボル」と称す。）を生成して図１のＰ１シンボル挿入部１３へ出力する。
【００６４】
［第一Ｐ１シンボル生成部］
図３は図２の第一Ｐ１シンボル生成部１００の構成を示すブロック図である。ここでは、第一Ｐ１シンボルは、ＤＶＢ−Ｔ２伝送方式及びＦＥＦ区間で用いられているＰ１シンボルとするが、これに限られない。
第一Ｐ１シンボル生成部１００は、キャリア配置系列生成部１０１と、ＭＳＳシグナリング変換部１０２と、ＤＢＰＳＫ変換部１０３と、データスクランブル部１０４と、キャリア配置部１０５と、ＩＦＦＴ部１０６と、ガードインターバル付加部１０７とを備える。なお、ＭＳＳとは、「Ｍｏｄｕｌａｔｉｏｎ  Ｓｉｇｎａｌｉｎｇ  Ｓｅｑｕｅｎｃｅ」の略である。
【００６５】
キャリア配置系列生成部１０１は、図４で示すサブキャリア番号ｊにおいてａ［ｊ］＝１とし（Ａｃｔｉｖｅキャリアであることを示す）、それ以外ではａ［ｊ］＝０とする（Ｎｕｌｌキャリアであることを示す）、キャリア配置系列ａ［ｊ］を生成し、或いは、ストアしておき、キャリア配置系列ａ［ｊ］をキャリア配置部１０５へ出力する。
ＭＳＳシグナリング変換部１０２には、送信パラメータ情報を表すＳ１信号の値及びＳ２信号の値が入力される。ＭＳＳシグナリング変換部１０２は、入力されたＳ１信号の値及びＳ２信号の値を図５に示す系列にＭＳＳシグナリング変換して、変換の結果得られた系列をＤＢＰＳＫ変換部１０３へ出力する。但し、図５中の「値」がＭＳＳシグナリング変換部１０２に入力される値、「シーケンス系列（１６進数表示）」が変換後の系列（ＭＳＳシグナリング変換部１０２から出力される系列）を表す。
【００６６】
ＤＢＰＳＫ変換部１０３は、ＭＳＳシグナリング変換部１０２から入力された系列に対してＤＢＰＳＫ（Ｄｉｆｆｅｒｅｎｔｉａｌ  Ｂｉｎａｒｙ  Ｐｈａｓｅ  Ｓｈｉｆｔ  Ｋｅｙｉｎｇ）を実施し、ＤＢＰＳＫの結果得られた系列をデータスクランブル部１０４へ出力する。
データスクランブル部１０４は、疑似ランダムバイナリシーケンス（Ｐｓｅｕｄｏｒａｎｄｏｍ  Ｂｉｎａｒｙ  Ｓｅｑｕｅｎｃｅ：ＰＲＢＳ）を用いて、ＤＢＰＳＫ変換部１０３から入力された系列をスクランブルし、スクランブルの結果得られた系列をキャリア配置部１０５へ出力する。
【００６７】
キャリア配置部１０５は、キャリア配置系列生成部１０１から入力されたキャリア配置系列の値が「１」であるサブキャリア番号のサブキャリア（Ａｃｔｉｖｅキャリア）に、データスクランブル部１０４から入力された系列のデータをマッピングしていき、マッピング結果をＩＦＦＴ部１０６へ出力する。
キャリア配置部１０５によってＡｃｔｉｖｅキャリアにデータがマッピングされた後、ＩＦＦＴ部１０６はキャリア配置部１０５の出力信号（周波数軸上の信号）を逆フーリエ変換（ＩＦＦＴ：Ｉｎｖｅｒｓｅ  Ｆａｓｔ  Ｆｏｕｒｉｅｒ  Ｔｒａｎｓｆｏｒｍ）することによって有効シンボル区間の時間軸上の信号に変換し、有効シンボル区間の時間軸上の信号をガードインターバル付加部１０７へ出力する。
【００６８】
ガードインターバル付加部１０７は、ＩＦＦＴ部１０６の出力信号（有効シンボル区間の時間軸上の信号）を利用して、有効シンボル区間の時間軸上の信号に対して、前側ガードインターバル区間の時間軸上の信号を付加し、後ろ側ガードインターバル区間の時間軸上の信号を付加し、これによって第一Ｐ１シンボルを生成して図１のＰ１シンボル挿入部１３へ出力する。
【００６９】
図６に、ガードインターバル付加部１０７による第一Ｐ１シンボルのガードインターバルの付加の様子を表す模式図を示す（時間軸）。図６に示すように、ガードインターバル付加部１０７は、有効シンボル区間（Ｔａ＝１１２μｓ）内の前側部分（Ｔｃ＝５９μｓ）の時間軸上の信号を周波数シフト量＋ｆSH（第一Ｐ１シンボルの１サブキャリア間隔分）周波数シフトさせて前側ガードインターバル区間の時間軸上の信号を生成し、生成した前側ガードインターバル区間の時間軸上の信号を有効シンボル区間の時間軸上の信号の前に付加する。また、ガードインターバル付加部１０７は、有効シンボル区間内の後ろ側部分（Ｔｂ＝５３μｓ）の時間軸上の信号を周波数シフト量＋ｆSH周波数シフトさせて後ろ側ガードインターバル区間の時間軸上の信号を生成し、生成した後ろ側ガードインターバル区間の時間軸上の信号を有効シンボル区間の時間軸上の信号の後ろに付加する。このようにして、第一Ｐ１シンボルが生成される。これを数式で示すと下記の（数２）のようになる。
【００７０】
【数２】
0005617010.tif 000003
但し、第一Ｐ１シンボルをｐ１1st（ｔ）で表し、その有効シンボルをｐ１1stA（ｔ）で表し、周波数シフト量を＋ｆSHとし、ＩＦＦＴ後の１サンプル時間をＴとしている。ｔは、時間であり、第一Ｐ１シンボルの開始時間を０としている。なお、ＤＶＢ−Ｔ２伝送方式において、帯域幅８ＭＨｚの場合、Ｔ＝７／６４μｓとなり、有効シンボル長は、１０２４Ｔ＝１１２μｓとなる。
【００７１】
［第二Ｐ１シンボル生成部］
図７は図２の第二Ｐ１シンボル生成部２００の構成を示すブロック図である。
第二Ｐ１シンボル生成部２００は、キャリア配置系列生成部２０１と、ＭＳＳシグナリング変換部２０２と、ＤＢＰＳＫ変換部２０３と、データスクランブル部２０４と、キャリア配置部２０５と、ＩＦＦＴ部２０６と、ガードインターバル付加部２０７とを備える。
【００７２】
キャリア配置系列生成部２０１は、図４で示すサブキャリア番号ｊにおいてａ［ｊ］＝１とし（Ａｃｔｉｖｅキャリアであることを示す）、それ以外ではａ［ｊ］＝０とする（Ｎｕｌｌキャリアであることを示す）、キャリア配置系列ａ［ｊ］を生成し、或いは、ストアしておき、キャリア配置系列ａ［ｊ］をキャリア配置部２０５へ出力する。ここでは、キャリア配置系列生成部２０１は、第一Ｐ１シンボル生成部１００のキャリア配置系列生成部１０１と同じキャリア配置系列を出力するとしている。
【００７３】
ＭＳＳシグナリング変換部２０２には、送信パラメータ情報を表すＳ１信号の値及びＳ２信号の値が入力される。ＭＳＳシグナリング変換部２０２は、入力されたＳ１信号の値及びＳ２信号の値を図５に示す系列にＭＳＳシグナリング変換して、変換の結果得られた系列をＤＢＰＳＫ変換部２０３へ出力する。但し、図５中の「値」がＭＳＳシグナリング変換部２０２に入力される値、「シーケンス系列（１６進数表示）」が変換後の系列（ＭＳＳシグナリング変換部２０２から出力される系列）を表す。なお、第一Ｐ１シンボル生成部１００に入力される送信パラメータ情報と第二Ｐ１シンボル生成部２００に入力される送信パラメータ情報とは異なるものとする（情報量の増加）が、同じものであってもよい（複数回送信することによる情報の信頼度の向上）。
【００７４】
ＤＢＰＳＫ変換部２０３は、ＭＳＳシグナリング変換部２０２から入力された系列に対してＤＢＰＳＫを実施し、ＤＢＰＳＫの結果得られた系列をデータスクランブル部２０４へ出力する。
データスクランブル部２０４は、ＰＲＢＳを用いて、ＤＢＰＳＫ変換部２０３から入力された系列をスクランブルし、スクランブルの結果得られた系列をキャリア配置部２０５へ出力する。
【００７５】
キャリア配置部２０５は、キャリア配置系列生成部２０１から入力されたキャリア配置系列の値が「１」であるサブキャリア番号のサブキャリア（Ａｃｔｉｖｅキャリア）に、データスクランブル部２０４から入力された系列のデータをマッピングしていき、マッピング結果をＩＦＦＴ部２０６へ出力する。
なお、キャリア配置系列２０１からキャリア配置部２０５までの構成は、第一Ｐ１シンボル生成部１００と同様の構成を例として説明を実施したが、これに限定されない。つまり、ＭＳＳシグナリング変換を用いず、そのまま情報を変調してもよいし、変調はＤＢＰＳＫでなくてもよい。さらには、キャリア配置系列を用いず、ＩＳＤＢ−Ｔ伝送方式やＤＶＢ−Ｔ伝送方式のように中央の有効サブキャリア全てを用いる構成としてもよい。
【００７６】
キャリア配置部２０５によってＡｃｔｉｖｅキャリアにデータがマッピングされた後、ＩＦＦＴ部２０６はキャリア配置部２０５の出力信号（周波数軸上の信号）をＩＦＦＴすることによって有効シンボル区間の時間軸上の信号に変換し、有効シンボル区間の時間軸上の信号をガードインターバル付加部２０７へ出力する。
ガードインターバル付加部２０７は、ＩＦＦＴ部２０６の出力信号（有効シンボル区間の時間軸上の信号）を利用して、有効シンボル区間の時間軸上の信号に対して、前側ガードインターバル区間の時間軸上の信号を付加し、後ろ側ガードインターバル区間の時間軸上の信号を付加し、これによって第二Ｐ１シンボルを生成して図１のＰ１シンボル挿入部１３へ出力する。
【００７７】
図８に、ガードインターバル付加部２０７による第二Ｐ１シンボルのガードインターバルの付加の様子を表す模式図を示す（時間軸）。図８に示すように、ガードインターバル付加部２０７は、有効シンボル区間（Ｔａ＝１１２μｓ）内の前側部分（Ｔｃ＝５９μｓ）の時間軸上の信号を周波数シフト量−ｆSH周波数シフトさせて前側ガードインターバル区間の時間軸上の信号を生成し、生成した前側ガードインターバル区間の時間軸上の信号を有効シンボル区間の時間軸上の信号の前に付加する。また、ガードインターバル付加部２０７は、有効シンボル区間内の後ろ側部分（Ｔｂ＝５３μｓ）の時間軸上の信号を周波数シフト量−ｆSH周波数シフトさせて後ろ側ガードインターバル区間の時間軸上の信号を生成し、生成した後ろ側ガードインターバル区間の時間軸上の信号を有効シンボル区間の時間軸上の信号の後ろに付加する。このようにして、第二Ｐ１シンボルが生成される。これを数式で示すと下記の（数３）のようになる。
【００７８】
【数３】
0005617010.tif 000004
但し、第二Ｐ１シンボルをｐ１2nd （ｔ’）で表し、有効シンボルをｐ１2ndA（ｔ’）で表し、周波数シフト量を−ｆSHとし、ＩＦＦＴ後の１サンプル時間をＴとしている。ｔ’は、時間であり、第二Ｐ１シンボルの開始時間を０としている。なお、ＤＶＢ−Ｔ２伝送方式において、帯域幅８ＭＨｚの場合、Ｔ＝７／６４μｓとなり、有効シンボル長は、１０２４Ｔ＝１１２μｓとなる。
【００７９】
上述した通り、第一Ｐ１シンボルでは、前側ガードインターバル区間の時間軸上の信号及び後ろ側ガードインターバル区間の時間軸上の信号は、有効シンボル区間の該当部分の時間軸上の信号を周波数シフト量＋ｆSH（≠０）周波数シフトしたものである（図６参照）。これに対して、第二Ｐ１シンボルでは、前側ガードインターバル区間の時間軸上の信号及び後ろ側ガードインターバル区間の時間軸上の信号は、有効シンボル区間の該当部分の時間軸上の信号を周波数シフト量−ｆSH（ｆSHと絶対値が同じで、符号が異なる）周波数シフトしたものである（図８参照）。このように、第一Ｐ１シンボルと第二Ｐ１シンボルとでは、ガードインターバル区間の時間軸上の信号の生成時に有効シンボル区間の該当部分の時間軸上の信号を周波数シフトする周波数シフト量が互いに異なっている。なお、第一Ｐ１シンボル及び第二Ｐ１シンボルの前側ガードインターバル区間の時間軸上の信号の生成に使用される有効シンボル区間の時間軸上の信号の箇所及び時間幅（長さ）は互いに同じであり、第一Ｐ１シンボル及び第二Ｐ１シンボルの後ろ側ガードインターバル区間の時間軸上の信号の生成に使用される有効シンボル区間の時間軸上の信号の箇所及び時間幅（長さ）は互いに同じである（図６、図８参照）。
【００８０】
上述したようにして生成された第一Ｐ１シンボルと第二Ｐ１シンボルとは、図１のＰ１シンボル挿入部１３によってデータシンボル生成部１１によって生成されたデータシンボル群に挿入される。フレームの構成として、図９に示すように、フレームの先頭に第一Ｐ１シンボル（図９では、「１ｓｔＰ１シンボル」と図示）を配置し、その直後に第二Ｐ１シンボル（図９では、「２ｎｄＰ１シンボル」と図示）を配置し、第二Ｐ１シンボルに続いてデータシンボルを配置したフレーム構成とする。これにより、第一Ｐ１シンボルに付加された送信パラメータ情報及び第二Ｐ１シンボルに付加された送信パラメータ情報を基にメインシンボル（例えばデータシンボル）の復調が可能となる。
【００８１】
＜ＯＦＤＭ受信装置＞
図１０は、第１の実施の形態におけるＯＦＤＭ受信装置２の構成を示すブロック図であり、ＯＦＤＭ受信装置２は、アンテナ２１と、チューナ２２と、復調部２３とを備える。
アンテナ２１は、図１のＯＦＤＭ送信装置１から発せられた送信波を受信し、受信した送信波（受信波）をチューナ２２へ出力する。チューナ２２は、アンテナ２１から入力された複数の受信波の中から所望の受信波を選択し、選択した受信波をＲＦ（Ｒａｄｉｏ  Ｆｒｅｑｕｅｎｃｙ）帯からＩＦ（Ｉｎｔｅｒｍｅｄｉａｔｅ  Ｆｒｅｑｕｅｎｃｙ）帯に変換し、ＩＦ帯となった受信波を復調部２３へ出力する。
【００８２】
復調部２３は、Ａ／Ｄ変換部２４と、直交変換部２５と、Ｐ１シンボル復調部２６と、データシンボル復調部２７とを備える。Ａ／Ｄ変換部２４はＩＦ帯となった受信波をアナログ信号からデジタル信号に変換して出力し、直交復調部２５はＡ／Ｄ変換部２４の出力信号を複素ベースバンド信号に直交復調して出力する。Ｐ１シンボル復調部２６は、図面を参照して後述するように、直交復調部２５の出力信号に含まれるＰ１シンボル（第一Ｐ１シンボル、第二Ｐ１シンボル）を復調する。データシンボル復調部２７は、Ｐ１シンボル復調部２６によるＰ１シンボルの復調の結果に基づいて、つまり、Ｐ１シンボルの復調により得られた送信パラメータ情報に基づいて、直交復調部２５の出力信号に含まれる複数のデータシンボルを復調する。なお、ＯＦＤＭ受信装置２は、Ｐ１シンボル復調部２６に特徴があり、その他の部分は必要に応じて適宜変更或いは削除し、他の構成を適宜追加可能である（他の本発明に関連するＯＦＤＭ受信装置においても同様）。例えば、データシンボル復調部２７を、Ｐ１シンボルとは別のシンボルを復調するシンボル復調部に置き換えてもよく、別のシンボルの一部がデータシンボルであっても良い。
【００８３】
［Ｐ１シンボル復調部］
図１１は、図１０のＰ１シンボル復調部２６の構成を示すブロック図であり、Ｐ１シンボル復調部２６は、第一Ｐ１シンボル復調部３００と第二Ｐ１シンボル復調部４００とを備える。
第一Ｐ１シンボル復調部３００は、図面を参照して後述するように、第一Ｐ１シンボルの復調を実施し、第二Ｐ１シンボル復調部４００は、図面を参照して後述するように、第二Ｐ１シンボルの復調を実施する。
【００８４】
［第一Ｐ１シンボル復調部］
図１２は図１１の第一Ｐ１シンボル復調部３００の構成を示すブロック図であり、第一Ｐ１シンボル復調部３００は、Ｐ１位置検出部３０１とＦＦＴ部３０２とＰ１デコード部３０３とを備える。
Ｐ１位置検出部３０１は、時間軸上の信号である、Ｐ１位置検出部３０１の入力信号（つまり、第一Ｐ１シンボル復調部３００の入力信号）での第一Ｐ１シンボルの位置を検出し、検出結果に基づく第一Ｐ１シンボルの位置情報をＦＦＴ部３０２へ出力するものであり、その構成を図１３に示す。
【００８５】
Ｐ１位置検出部３０１は、乗算器３１１と、遅延器３１２と、複素共役演算器３１３と、乗算器３１４と、区間積分演算器３１５と、遅延器３１６と、複素共役演算器３１７と、乗算器３１８と、区間積分演算器３１９と、遅延器３２０と、乗算器３２１と、ピーク検出器３２２とを備える。
Ｐ１位置検出部３０１の入力信号は乗算器３１１に入力される。乗算器３１１は、送信側で第一Ｐ１シンボルの前側ガードインターバル区間及び後ろ側ガードインターバル区間の時間軸上の信号に施された周波数シフト量＋ｆSHの周波数シフトとは逆特性の周波数シフト（周波数シフト量−ｆSHの周波数シフト）をＰ１位置検出部３０１の入力信号に施すために、Ｐ１位置検出部３０１の入力信号に対してｅｘｐ（−ｊ２πｆSHｔ）を乗算し、乗算結果を遅延器３１２と乗算器３１８とへ出力する。遅延器３１２は、乗算器３１１の出力信号を第一Ｐ１シンボルの前側ガードインターバル長に相当する長さＴｃ（＝５９μｓ）だけ遅延させて複素共役演算器３１３へ出力する。複素共役演算器３１３は、遅延器３１２の出力信号の複素共役の信号を求め、求めた複素共役の信号を乗算器３１４へ出力する。乗算器３１４は、Ｐ１位置検出部３０１の入力信号と複素共役演算器３１３の出力信号とを乗算することによって相関を算出し、算出した相関値を区間積分演算器３１５へ出力する。区間積分演算器３１５は、第一Ｐ１シンボルの前側ガードインターバル長Ｔｃを区間積分幅として乗算器３１４の出力信号に対して区間積分を実施し、区間積分結果を遅延器３２０へ出力する。なお、これらの信号の流れは図５５（ａ）〜（ｃ）に示したものと同じである。
【００８６】
また、Ｐ１位置検出部３０１の入力信号は遅延器３１６に入力され、遅延器３１６はＰ１位置検出部３０１の入力信号を第一Ｐ１シンボルの後ろ側ガードインターバル長に相当する長さＴｂ（＝５３μｓ）だけ遅延させて複素共役演算器３１７へ出力する。複素共役演算器３１７は、遅延器３１６の出力信号の複素共役の信号を求め、求めた複素共役の信号を乗算器３１８へ出力する。なお、乗算器３１８には、乗算器３１１からＰ１位置検出部３０１の入力信号に対してｅｘｐ（−ｊ２πｆSHｔ）を乗算した乗算結果が入力されている。乗算器３１８は、乗算器３１１の出力信号（Ｐ１位置検出部３０１の入力信号を周波数シフト量−ｆSH周波数シフトした信号）と複素共役演算器３１７の出力信号とを乗算することによって相関を算出し、算出した相関値を区間積分演算器３１９へ出力する。区間積分演算器３１９は、第一Ｐ１シンボルの後ろ側ガードインターバル長Ｔｂを区間積分幅として乗算器３１８の出力信号に対して区間積分を実施し、区間積分結果を乗算器３２１へ出力する。なお、これらの信号の流れは図５６（ａ）〜（ｃ）に示したものと同じである。
【００８７】
区間積分演算器３１５の出力信号は遅延器３２０に入力され、遅延器３２０は区間積分演算器３１５の出力信号に対して区間積分演算器３１９の出力信号との遅延調整を施して乗算器３２１へ出力する。なお、遅延器３２０による遅延量は２×Ｔｂである。乗算器３２１は、区間積分演算器３１９の出力信号と遅延器３２０の出力信号との乗算を実施し、乗算結果をピーク検出器３２２へ出力する。このように、前側ガードインターバル区間に関する相関値の区間積分結果のピークと後ろ側ガードインターバル区間に関する相関値の区間積分結果のピークとを合わせることで、さらにピークを顕著なものにできる。ピーク検出器３２２は、乗算器３２１の出力信号のピーク位置を検出することによってＰ１位置検出部３０１の入力信号（つまり、第一Ｐ１シンボル復調部３００の入力信号）での第一Ｐ１シンボルの位置を検出し、検出結果に基づく第一Ｐ１シンボルの位置情報を図１２のＦＦＴ部３０２へ出力する。なお、遅延波が存在すると、遅延波の箇所にもその遅延波のレベルに対応した相関のピークが出現することになる。
【００８８】
図１２のＦＦＴ部３０２は、第一Ｐ１シンボルの位置情報に基づいて、第一Ｐ１シンボル復調部３００の入力信号（時間軸上の信号）に対してＦＦＴを実施して周波数軸上の信号へ変換し、周波数軸上の信号をＰ１デコード部３０３へ出力する。Ｐ１デコード部３０３は、図４で示すサブキャリア番号ｊにおいてａ［ｊ］＝１とし（Ａｃｔｉｖｅキャリアであることを示す）、それ以外ではａ［ｊ］＝０とする（Ｎｕｌｌキャリアであることを示す）、キャリア配置系列ａ［ｊ］を生成し、或いは、ストアしておき、キャリア配置系列ａ［ｊ］を基に周波数軸上の信号中のＡｃｔｉｖｅキャリアを用いて第一Ｐ１シンボルのデコード処理を実施し、第一Ｐ１シンボルに付加されたＳ１信号の値及びＳ２信号の値を求め、Ｓ１信号の値及びＳ２信号の値を基に送信パラメータ情報（例えば、ＦＦＴサイズやＭＩＳＯ／ＳＩＳＯ等の情報）を取り出す。
【００８９】
［第二Ｐ１シンボル復調部］
図１４は図１１の第二Ｐ１シンボル復調部４００の構成を示すブロック図であり、第二Ｐ１シンボル復調部４００は、Ｐ１位置検出部４０１とＦＦＴ部４０２とＰ１デコード部４０３とを備える。
Ｐ１位置検出部４０１は、時間軸上の信号である、Ｐ１位置検出部４０１の入力信号（つまり、第二Ｐ１シンボル復調部４００の入力信号）での第二Ｐ１シンボルの位置を検出し、検出結果に基づく第二Ｐ１シンボルの位置情報をＦＦＴ部４０２へ出力するものであり、その構成を図１５に示す。
【００９０】
Ｐ１位置検出部４０１は、乗算器４１１と、遅延器４１２と、複素共役演算器４１３と、乗算器４１４と、区間積分演算器４１５と、遅延器４１６と、複素共役演算器４１７と、乗算器４１８と、区間積分演算器４１９と、遅延器４２０と、乗算器４２１と、ピーク検出器４２２とを備える。
Ｐ１位置検出部４０１の入力信号は乗算器４１１に入力される。乗算器４１１は、送信側で第二Ｐ１シンボルの前側ガードインターバル区間及び後ろ側ガードインターバル区間の時間軸上の信号に施された周波数シフト量−ｆSHの周波数シフトとは逆特性の周波数シフト（周波数シフト量＋ｆSHの周波数シフト）をＰ１位置検出部４０１の入力信号に施すために、Ｐ１位置検出部４０１の入力信号に対してｅｘｐ（＋ｊ２πｆSHｔ）を乗算し、乗算結果を遅延器４１２と乗算器４１８とへ出力する。遅延器４１２は、乗算器４１１の出力信号を第二Ｐ１シンボルの前側ガードインターバル長に相当する長さＴｃ（＝５９μｓ）だけ遅延させて複素共役演算器４１３へ出力する。複素共役演算器４１３は、遅延器４１２の出力信号の複素共役の信号を求め、求めた複素共役の信号を乗算器４１４へ出力する。乗算器４１４は、Ｐ１位置検出部４０１の入力信号と複素共役演算器４１３の出力信号とを乗算することによって相関を算出し、算出した相関値を区間積分演算器４１５へ出力する。区間積分演算器４１５は、第二Ｐ１シンボルの前側ガードインターバル長Ｔｃを区間積分幅として乗算器４１４の出力信号に対して区間積分を実施し、区間積分結果を遅延器４２０へ出力する。これらの信号の流れを表した模式図を図１６（ａ）〜（ｃ）に示す。図１６（ａ）に示すように、Ｐ１位置検出部４０１の入力信号を周波数シフト量＋ｆSH周波数シフトさせた上で前側ガードインターバル長Ｔｃ遅延させた信号（図１６（ａ）の下側の信号）の前側ガードインターバル区間の信号は、Ｐ１位置検出部４０１の入力信号（図１６（ａ）の上側の信号）の有効シンボル区間内の前側部分の信号と同じ信号になり、その部分に図１６（ｂ）に示すように相関が現れる。なお、それ以外の部分では、両者の信号は同じにならないため、相関が現れない。図１６（ｂ）に示される相関値を前側ガードインターバル長Ｔｃの区間積分幅で区間積分することにより、図１６（ｃ）に示すようにピークが生じる。
【００９１】
また、Ｐ１位置検出部４０１の入力信号は遅延器４１６に入力され、遅延器４１６はＰ１位置検出部４０１の入力信号を第二Ｐ１シンボルの後ろ側ガードインターバル長に相当する長さＴｂ（＝５３μｓ）だけ遅延させて複素共役演算器４１７へ出力する。複素共役演算器４１７は、遅延器４１６の出力信号の複素共役の信号を求め、求めた複素共役の信号を乗算器４１８へ出力する。なお、乗算器４１８には、乗算器４１１からＰ１位置検出部４０１の入力信号に対してｅｘｐ（＋ｊ２πｆSHｔ）を乗算した乗算結果が入力されている。乗算器４１８は、乗算器４１１の出力信号（Ｐ１位置検出部４０１の入力信号を周波数シフト量＋ｆSH周波数シフトした信号）と複素共役演算器４１７の出力信号とを乗算することによって相関を算出し、算出した相関値を区間積分演算器４１９へ出力する。区間積分演算器４１９は、第二Ｐ１シンボルの後ろ側ガードインターバル長Ｔｂを区間積分幅として乗算器４１８の出力信号の区間積分を実施し、区間積分結果を乗算器４２１へ出力する。これらの信号の流れを表した模式図を図１７（ａ）〜（ｃ）に示す。図１７（ａ）に示すように、Ｐ１位置検出部４０１の入力信号を周波数シフト量＋ｆSH周波数シフトさせた信号（図１７（ａ）の上側の信号）の後ろ側ガードインターバル区間の信号は、Ｐ１位置検出部４０１の入力信号を後ろ側ガードインターバル長Ｔｂ遅延させた信号（図１７（ａ）の下側の信号）の有効シンボル区間内の後ろ側部分の信号と同じ信号になるため、その部分に図１７（ｂ）に示すように相関が現れる。なお、それ以外の部分では、両者の信号は同じにならないため、相関が現れない。図１７（ｂ）に示される相関値を後ろ側ガードインターバル長Ｔｂの区間積分幅で区間積分することによって、図１７（ｃ）に示すようにピークが生じる。
【００９２】
区間積分演算器４１５の出力信号は遅延器４２０に入力され、遅延器４２０は区間積分演算器４１５の出力信号に対して区間積分演算器４１９の出力信号との遅延調整を施して乗算器４２１へ出力する。なお、遅延器４２０による遅延量は２×Ｔｂである。乗算器４２１は、区間積分演算器４１９の出力信号と遅延器４２０の出力信号との乗算を実施し、乗算結果をピーク検出器４２２へ出力する。このように、前側ガードインターバル区間に関する相関値の区間積分結果のピークと後ろ側ガードインターバル区間に関する相関値の区間積分結果のピークとを合わせることで、さらにピークを顕著なものにできる。ピーク検出器４２２は、乗算器４２１の出力信号のピーク位置を検出することによってＰ１位置検出部４０１の入力信号（つまり、第二Ｐ１シンボル復調部４００の入力信号）での第二Ｐ１シンボルの位置を検出し、検出結果に基づく第二Ｐ１シンボルの位置情報を図１４のＦＦＴ部４０２へ出力する。なお、遅延波が存在すると、遅延波の箇所にもその遅延波のレベルに対応した相関のピークが出現することになる。
【００９３】
図１４のＦＦＴ部４０２は、第二Ｐ１シンボルの位置情報に基づいて、第二Ｐ１シンボル復調部４００の入力信号（時間軸上の信号）に対してＦＦＴを実施して周波数軸上の信号へ変換し、周波数軸上の信号をＰ１デコード部４０３へ出力する。Ｐ１デコード部４０３は、図４で示すサブキャリア番号ｊにおいてａ［ｊ］＝１とし（Ａｃｔｉｖｅキャリアであることを示す）、それ以外ではａ［ｊ］＝０とする（Ｎｕｌｌキャリアであることを示す）、キャリア配置系列ａ［ｊ］を生成し、或いは、ストアしておき、キャリア配置系列ａ［ｊ］を基に周波数軸上の信号中のＡｃｔｉｖｅキャリアを用いて第二Ｐ１シンボルのデコード処理を実施し、第二Ｐ１シンボルに付加されたＳ１信号の値及びＳ２信号の値を求め、Ｓ１信号の値及びＳ２信号の値を基に送信パラメータ情報を取り出す。
【００９４】
上述した通り、第一Ｐ１シンボル復調部３００内のＰ１位置検出部３０１は第一Ｐ１シンボルを検出するために、入力信号に周波数シフト量−ｆSHの周波数シフトを施して相関演算を行う。第二Ｐ１シンボル復調部４００内のＰ１位置検出部４０１は第二Ｐ１シンボルを検出するために、入力信号に周波数シフト量＋ｆSHの周波数シフトを施して相関演算を行う。
【００９５】
［第一Ｐ１シンボル復調部のＰ１位置検出部における第二Ｐ１シンボルに対する動作］
図１８（ａ）〜（ｃ）は、第一Ｐ１シンボル復調部３００のＰ１位置検出部３０１における第二Ｐ１シンボルの前側部分の相関の様子を示す模式図である。
送信された第二Ｐ１シンボルでは、前側ガードインターバル区間の信号及び後ろ側ガードインターバル区間の信号は、有効シンボル区間内の該当部分の信号を周波数シフト量−ｆSH周波数シフトしたものである（図８参照）。このため、第一Ｐ１シンボル復調部３００のＰ１位置検出部３０１において、入力信号に対して周波数シフト量−ｆSH周波数シフトさせた上で前側ガードインターバル長Ｔｃ遅延させた信号（図１８（ａ）の下側の信号）では、前側ガードインターバル区間の信号及び後ろ側ガードインターバル区間の信号は周波数シフト量−２ｆSH周波数シフトした状態となり、有効シンボル区間の信号は周波数シフト量−ｆSH周波数シフトした状態となる。このため、図１８（ａ）の下側の信号の前側ガードインターバル区間の信号はＰ１位置検出部３０１の入力信号（図１８（ａ）の上側の信号）の有効シンボル区間内の前側部分の信号と同じ信号にならず、図１８（ｂ）に示すように相関が現れない。なお、図１８（ａ）の下側の信号での有効シンボル区間内の後ろ側部分の信号は、図１８（ａ）の上側の信号での後ろ側ガードインターバル区間の信号と同じ信号になるが、両者が乗算器３１４に入力されるタイミングがあっていないため、図１８（ｂ）に示すように相関が現れない。このため、図１８（ｂ）に示される相関値を前側ガードインターバル長Ｔｂの区間積分幅で区間積分しても、図１８（ｃ）に示すように顕著なピークは発生しない。
【００９６】
図１９（ａ）〜（ｃ）は、第一Ｐ１シンボル復調部３００のＰ１位置検出部３０１における第二Ｐ１シンボルの後ろ側部分の相関の様子を示す模式図である。
送信された第二Ｐ１シンボルでは、前側ガードインターバル区間の信号及び後ろ側ガードインターバル区間の信号は有効シンボル区間内の該当部分の信号を周波数数シフト量−ｆSH周波数シフトしたものである（図８参照）。このため、第一Ｐ１シンボル復調部３００のＰ１位置検出部３０１において、入力信号に対して周波数シフト量−ｆSH周波数シフトさせた信号（図１９（ａ）の上側の信号）では、前側ガードインターバル区間の信号及び後ろ側ガードインターバル区間の信号は周波数シフト量−２ｆSH周波数シフトした状態となり、有効シンボル区間の信号は周波数シフト量−ｆSH周波数シフトした状態となる。このため、図１９（ａ）の上側の信号の後ろ側ガードインターバル区間の信号はＰ１位置検出部３０１の入力信号を後ろ側ガードインターバル長Ｔｂ遅延させた信号（図１９（ａ）の下側の信号）の有効シンボル区間内の後ろ側部分の信号と同じ信号にならず、図１９（ｂ）に示すように相関が現れない。なお、図１９（ａ）の上側の信号での有効シンボル区間内の前側部分の信号は図１９（ａ）の下側の信号の前側ガードインターバル区間の信号と同じ信号になるが、両者が乗算器３１８に入力されるタイミングがあっていないため、図１９（ｂ）に示すように相関が現れない。このため、図１９（ｂ）に示される相関値を後ろ側ガードインターバル長Ｔｂの区間積分幅で区間積分しても、図１９（ｃ）に示すように顕著なピークは発生しない。
【００９７】
以上のように、第一Ｐ１シンボル復調部３００において、第二Ｐ１シンボルに対するピークは発生せず、第一Ｐ１シンボルのみ検出することが可能となる。同様に、第二Ｐ１シンボル復調部４００において、第一Ｐ１シンボルに対するピークは発生せず、第二Ｐ１シンボルのみ検出することが可能となる。
＜効果＞
上述した第１の実施の形態によれば、送信側では、前側ガードインターバル区間の信号及び後ろ側ガードインターバル区間の信号の生成において、第一Ｐ１シンボルでは有効シンボル区間の該当部分の信号を周波数シフト量＋ｆSH周波数シフトさせ（図６参照）、第二Ｐ１シンボルでは周波数シフト量−ｆSH（第一Ｐ１シンボルにおける周波数シフト量＋ｆSHと絶対値が同じで、符号が異なる周波数シフト量）周波数シフトさせている（図８参照）。これによって、受信側では、複数のピークが検出される場合に、そのピークが別シンボルによるものか遅延波によるものかを容易に見分けがつき、安定した受信が可能となる。また、ＦＥＦ区間を用いて２つのＰ１シンボル（第一Ｐ１シンボル、第二Ｐ１シンボル）を送信する場合、第一Ｐ１シンボルがＦＥＦ区間の先頭シンボルとなり、第一Ｐ１シンボル復調用の復調部のみを有するＤＶＢ−Ｔ２受信機は、第二Ｐ１シンボルの影響を受けることは無く、既存のＤＶＢ−Ｔ２受信機との親和性を保つことができる。
【００９８】
≪第２の実施の形態≫
以下、本発明の第２の実施の形態のＯＦＤＭ送信装置およびＯＦＤＭ受信装置について図面を参照して説明する。なお、本実施の形態において、第１の実施の形態の構成要素と実質的に同じ構成要素には同じ符号を付し、その説明が適用できるため本実施の形態ではその説明を省略し、或いは、簡単な記載に留める。
【００９９】
＜ＯＦＤＭ送信装置＞
本実施の形態のＯＦＤＭ送信装置は、第１の実施の形態のＰ１シンボル生成部１１と異なるＰ１シンボル生成部１１Ａを備え、以下、Ｐ１シンボル生成部１１Ａについて説明する。
［Ｐ１シンボル生成部］
図２０は、第２の実施の形態におけるＯＦＤＭ送信装置のＰ１シンボル生成部１１Ａの構成を示すブロック図であり、Ｐ１シンボル生成部１１Ａは、第１の実施の形態で説明した処理を実施して第一Ｐ１シンボルを生成する第一Ｐ１シンボル生成部１００と第二Ｐ１シンボル生成部２００Ａとを備える。第二Ｐ１シンボル生成部２００Ａは、第二Ｐ１シンボルを生成して出力するものであり、第１の実施の形態の第二Ｐ１シンボル生成部２００と第二Ｐ１シンボルのガードインターバルの付加の仕方が異なる。以下、第二Ｐ１シンボル生成部２００Ａについて説明する。
【０１００】
［第二Ｐ１シンボル生成部］
図２１は図２０の第二Ｐ１シンボル生成部２００Ａの構成を示すブロック図である。第二Ｐ１シンボル生成部２００Ａは、第二Ｐ１シンボル生成部２００のガードインターバル付加部２０７をガードインターバル付加部２０７Ａに置き換えた構成をしている。
ガードインターバル付加部２０７Ａは、ＩＦＦＴ部２０６の出力信号（有効シンボル区間の時間軸上の信号）を利用して、有効シンボル区間の時間軸の信号に対して、前側ガードインターバル区間の時間軸上の信号を付加し、後ろ側ガードインターバル区間の時間軸上の信号を付加し、これによって、第二Ｐ１シンボルを生成する。
【０１０１】
図２２に、ガードインターバル付加部２０７Ａによる第二Ｐ１シンボルのガードインターバルの付加の様子を表す模式図を示す（時間軸）。図２２に示すように、ガードインターバル付加部２０７Ａは、有効シンボル区間（Ｔａ＝１１２μｓ）内の前側部分（Ｔｂ＝５３μｓ）の時間軸上の信号を周波数シフト量＋ｆSH周波数シフトさせて前側ガードインターバル区間の時間軸上の信号を生成し、生成した前側ガードインターバル区間の時間軸上の信号を有効シンボル区間の時間軸上の信号の前に付加する。また、ガードインターバル付加部２０７Ａは、有効シンボル区間内の後ろ側部分（Ｔｃ＝５９μｓ）の時間軸上の信号を周波数シフト量ｆSH周波数シフトさせて後ろ側ガードインターバル区間の時間軸上の信号を生成し、生成した後ろ側ガードインターバル区間の時間軸上の信号を有効シンボル区間の時間軸上の信号の後ろに付加する。これを数式で示すと下記の（数４）のようになる。
【０１０２】
【数４】
0005617010.tif 000005
但し、第二Ｐ１シンボルをｐ１2nd（ｔ’）で表し、有効シンボルをｐ１2ndA（ｔ’）で表し、周波数シフトシフト量をｆSHとし、ＩＦＦＴ後の１サンプル時間をＴとしている。ｔ’は、時間であり、第二Ｐ１シンボルの開始時間を０としている。なお、ＤＶＢ−Ｔ２伝送方式において、帯域幅８ＭＨｚの場合、Ｔ＝７／６４μｓとなり、有効シンボル長は１０２４Ｔ＝１１２μｓとなる。なお、図６及び図２２に示すように、第二Ｐ１シンボルの前後のガードインターバルの長さを第一Ｐ１シンボルのそれらと入れ替えたフォーマット（前ガードインターバルがＴｂ、後ガードインターバルがＴｃ）とするが、これに限られない。
【０１０３】
上述した通り、第一Ｐ１シンボル及び第二Ｐ１シンボルでは、双方ともに、前側ガードインターバル区間の時間軸上の信号及び後ろ側ガードインターバル区間の時間軸上の信号は、有効シンボル区間の該当部分の時間軸上の信号を周波数シフト量＋ｆSH（≠０）周波数シフトしたものであり、周波数シフト量は同じである（図６、図２２参照）。また、第一Ｐ１シンボル及び第二Ｐ１シンボルでは、双方ともに、前側ガードインターバル区間の時間軸上の信号の生成には、有効シンボル区間の時間軸上の信号のうちの前側の部分を利用し、後ろ側ガードインターバル区間の時間軸上の信号の生成には、有効シンボル区間の時間軸上の信号のうちの後ろ側の部分を利用している（図６、図２２参照）。
【０１０４】
しかしながら、第一Ｐ１シンボルの前側ガードインターバル区間の時間軸上の信号の生成に利用される有効シンボル区間の該当部分の長さはＴｃ（＝５９μｓ）であり（図６参照）、第二Ｐ１シンボルの前側ガードインターバル区間の時間軸上の信号の生成に利用される有効シンボル区間の該当部分の長さはＴｂ（＝５３μｓ）であり（図２２参照）、利用する有効シンボル区間の該当部分の長さが互いに異なっている。また、第一Ｐ１シンボルの後ろ側ガードインターバル区間の時間軸上の信号の生成に利用される有効シンボル区間の該当部分の長さはＴｂ（＝５３μｓ）であり（図６参照）、第二Ｐ１シンボルの後ろ側ガードインターバル区間の時間軸上の信号の生成に利用される有効シンボル区間の該当部分の長さはＴｃ（＝５９μｓ）であり（図２２参照）、利用する有効シンボル区間の該当部分の長さが互いに異なっている。
【０１０５】
＜ＯＦＤＭ受信装置＞
本実施の形態のＯＦＤＭ受信装置は、第１の実施の形態のＰ１シンボル復調部２６と異なるＰ１シンボル復調部２６Ａを備え、以下、Ｐ１シンボル復調部２６Ａについて説明する。
［Ｐ１シンボル復調部］
図２３は、第２の実施の形態におけるＯＦＤＭ受信装置のＰ１シンボル復調部２６Ａの構成を示すブロック図であり、Ｐ１シンボル復調部２６Ａは、第１の実施の形態で説明した処理を実施して第一Ｐ１シンボルを復調する第一Ｐ１シンボル復調部３００と第二Ｐ１シンボル復調部４００Ａとを備える。第二Ｐ１シンボル復調部４００Ａは第二Ｐ１シンボルを復調するものであり、第１の実施の形態の第二Ｐ１シンボル復調部４００と構成が異なる。以下、第二Ｐ１シンボル復調部４００Ａについて説明する。
【０１０６】
［第二Ｐ１シンボル復調部］
図２４は図２３の第二Ｐ１シンボル復調部４００Ａの構成を示すブロック図であり、第二Ｐ１シンボル復調部４００Ａは、Ｐ１位置検出部４０１ＡとＦＦＴ部４０２とＰ１デコード部４０３とを備える。
Ｐ１位置検出部４０１Ａは、時間軸上の信号である、Ｐ１位置検出部４０１Ａの入力信号（つまり、第二Ｐ１シンボル復調部４００Ａの入力信号）での第二Ｐ１シンボルの位置を検出し、検出結果に基づく第二Ｐ１シンボルの位置情報をＦＦＴ部４０２へ出力するものであり、その構成を図２５に示す。
【０１０７】
Ｐ１位置検出部４０１Ａは、乗算器４５１と、遅延器４５２と、複素共役演算器４５３と、乗算器４５４と、区間積分演算器４５５と、遅延器４５６と、複素共役演算器４５７と、乗算器４５８と、区間積分演算器４５９と、遅延器４６０と、乗算器４６１と、ピーク検出器４６２とを備える。
Ｐ１位置検出部４０１Ａの入力信号は乗算器４５１に入力される。乗算器４５１は、送信側で第二Ｐ１シンボルの前側ガードインターバル区間及び後ろ側ガードインターバル区間の時間軸上の信号に施された周波数シフト量＋ｆSHの周波数シフトとは逆特性の周波数シフト（周波数シフト量−ｆSHの周波数シフト）をＰ１位置検出部４０１Ａの入力信号に施すために、Ｐ１位置検出部４０１Ａの入力信号に対してｅｘｐ（−ｊ２πｆSHｔ）を乗算し、乗算結果を遅延器４５２と乗算器４５８とへ出力する。なお、乗算器４５１は、入力信号に対して、第１の実施の形態の第二Ｐ１シンボル復調部４００の乗算器４１１（図１５参照）と異なり、第一Ｐ１シンボル復調部３００の乗算器３１１（図１３参照）と同じ周波数シフトを施している。遅延器４５２は、乗算器４５１の出力信号を第二Ｐ１シンボルの前側ガードインターバル長に相当する長さＴｂ（＝５３μｓ）だけ遅延させて複素共役演算器４５３へ出力する。なお、遅延器４５２での遅延量Ｔｂ（＝５３μｓ）は、第一Ｐ１シンボル復調部３００のＰ１位置検出部３０１の遅延器３１２での遅延量Ｔｃ（＝５９μｓ）、及び、第１の実施の形態の第二Ｐ１シンボル復調部４００のＰ１位置検出部４０１の遅延器４１２での遅延量Ｔｃ（＝５９μｓ）と異なっている。複素共役演算器４５３は、遅延器４５２の出力信号の複素共役の信号を求め、求めた複素共役の信号を乗算器４５４へ出力する。乗算器４５４は、Ｐ１位置検出部４０１Ａの入力信号と複素共役演算器４５３の出力信号とを乗算することによって相関を算出し、算出した相関値を区間積分演算器４５５へ出力する。区間積分演算器４５５は、第二Ｐ１シンボルの前側ガードインターバル長Ｔｂを区間積分幅として乗算器４５４の出力信号に対して区間積分を実施し、区間積分結果を遅延器４６０へ出力する。これらの信号の流れを表した模式図を図２６（ａ）〜（ｃ）に示す。図２６（ａ）に示すように、Ｐ１位置検出部４０１Ａの入力信号を周波数シフト量−ｆSH周波数シフトさせた上で前側ガードインターバル長Ｔｂ遅延させた信号（図２６（ａ）の下側の信号）の前側ガードインターバル区間の信号は、Ｐ１位置検出部４０１Ａの入力信号（図２６（ａ）の上側の信号）の有効シンボル区間内の前側部分の信号と同じ信号になり、その部分に図２６（ｂ）に示すように相関が現れる。なお、それ以外の部分では、両者の信号は同じにならないため、相関が現れない。図２６（ｂ）に示される相関値を前側ガードインターバル長Ｔｂの区間積分幅で区間積分することにより、図２６（ｃ）に示すようにピークが生じる。
【０１０８】
また、Ｐ１位置検出部４０１Ａの入力信号は遅延器４５６に入力され、遅延器４５６はＰ１位置検出部４０１Ａの入力信号を第二Ｐ１シンボルの後ろ側ガードインターバル長Ｔｃ（＝５９μｓ）だけ遅延させて複素共役演算器４５７へ出力する。なお、遅延器４５６での遅延量Ｔｃ（＝５９μｓ）は、第一Ｐ１シンボル復調部３００のＰ１位置検出部３０１の遅延器３１６での遅延量Ｔｂ（＝５３μｓ）、及び、第１の実施の形態の第二Ｐ１シンボル復調部４００のＰ１位置検出部４０１の遅延器４２６での遅延量Ｔｂ（＝５３μｓ）と異なっている。複素共役演算器４５７は、遅延器４５６の出力信号の複素共役の信号を求め、求めた複素共役の信号を乗算器４５８へ出力する。なお、乗算器４５８には、乗算器４５１からＰ１位置検出部４０１Ａの入力信号に対してｅｘｐ（−ｊ２πｆSHｔ）を乗算した乗算結果が入力されている。乗算器４５８は、乗算器４５１の出力信号（Ｐ１位置検出部４０１Ａの入力信号を周波数シフト量−ｆSH周波数シフトした信号）と複素共役演算器４５７の出力信号とを乗算することによって相関を算出し、算出した相関値を区間積分演算器４５９へ出力する。区間積分演算器４５９は、第二Ｐ１シンボルの後ろ側ガードインターバル長Ｔｃを区間積分幅として乗算器４５８の出力信号の区間積分を実施し、区間積分結果を乗算器４６１へ出力する。これらの信号の流れを表した模式図を図２７（ａ）〜（ｃ）に示す。図２７（ａ）に示すように、Ｐ１位置検出部４０１Ａの入力信号を周波数シフト量−ｆSH周波数シフトさせた信号（図２７（ａ）の上側の信号）の後ろ側ガードインターバル区間の信号は、Ｐ１位置検出部４０１Ａの入力信号を後ろ側ガードインターバル長Ｔｃ遅延させた信号（図２７（ａ）の下側の信号）の有効シンボル区間内の後ろ側部分の信号と同じ信号になるため、その部分に図２７（ｂ）に示すように相関が現れる。なお、それ以外の部分では、両者の信号は同じにならないため、相関が現れない。図２７（ｂ）に示される相関値を後ろ側ガードインターバル長Ｔｃの区間積分幅で区間積分することによって、図２７（ｃ）に示すようにピークが生じる。
【０１０９】
区間積分演算器４５５の出力信号は遅延器４６０に入力され、遅延器４６０は区間積分演算器４５５の出力信号に対して区間積分演算器４５９の出力信号との遅延調整を施して乗算器４６１へ出力する。なお、遅延器４６０による遅延量は２×Ｔｃである。乗算器４６１は、区間積分演算器４５９の出力信号と遅延器４６０の出力信号との乗算を実施し、乗算結果をピーク検出器４６２へ出力する。このように、前側ガードインターバル区間に関する相関値の区間積分結果のピークと後ろ側ガードインターバル区間に関する相関値の区間積分結果のピークとを合わせることで、さらにピークを顕著なものにできる。ピーク検出器４６２は乗算器４６１の出力信号のピーク位置を検出することによってＰ１位置検出部４０１Ａの入力信号（つまり、Ｐ１シンボル復調部４０１Ａの入力信号）での第二Ｐ１シンボルの位置を検出し、検出結果に基づく第二Ｐ１シンボルの位置情報を図２４のＦＦＴ部４０２へ出力する。なお、遅延波が存在すると、遅延波の箇所にもその遅延波のレベルに対応した相関のピークが出現することになる。
【０１１０】
［第一Ｐ１シンボル復調部のＰ１位置検出部における第二Ｐ１シンボルに対する動作］
図２８（ａ）〜（ｃ）は、第一Ｐ１シンボル復調部３００のＰ１位置検出部３０１（図１３参照）における第二Ｐ１シンボルの前側部分の相関の様子を示す模式図である。
送信された第二Ｐ１シンボルでは、前側ガードインターバル区間の信号及び後ろ側ガードインターバル区間の信号は、有効シンボル区間の該当部分の信号を周波数シフト量＋ｆSH周波数シフトしたものであり、前側ガードインターバル長はＴｂ（＝５３μｓ）、後ろ側ガードインターバル長はＴｃ（＝５９μｓ）である（図２２参照）。このため、第一Ｐ１シンボル復調部３００のＰ１位置検出部３０１において、入力信号に対して周波数シフト量−ｆSH周波数シフトさせた上で第一Ｐ１シンボルの前側ガードインターバル長Ｔｃ（＝５９μｓ）遅延させた信号（図２８（ａ）の下側の信号）の前側ガードインターバル区間の信号は、Ｐ１位置検出部３０１の入力信号（図２８（ａ）の上側の信号）の有効シンボル区間内の前側部分の信号と周波数シフト量は同じ０になっているが、乗算器３１４に入力されるタイミングがあっていないため、図２８（ｂ）に示すように相関が大きくならない。一方で、図２８（ａ）の下側の信号の有効シンボル区間内の後ろ側部分の信号は、図２８（ａ）の上側の信号の後ろ側ガードインターバル区間の信号と、乗算器３１４に入力されるタイミングは合うが、周波数シフト量が異なっているため、図２８（ｂ）に示すように相関は現れない。このため、図２８（ｂ）に示される相関値を第一Ｐ１シンボルの前側ガードインターバル長Ｔｃの区間積分幅で区間積分しても図２８（ｃ）に示すように顕著なピークは存在しない。
【０１１１】
図２９（ａ）〜（ｃ）は、第一Ｐ１シンボル復調部３００のＰ１位置検出部３０１における第二Ｐ１シンボルの後ろ側部分の相関の様子を示す模式図である。
送信された第二Ｐ１シンボルでは、前側ガードインターバル区間の信号及び後ろ側ガードインターバル区間の信号は有効シンボル区間の該当部分の信号を周波数シフト量＋ｆSH周波数シフトしたものであり、前側ガードインターバル長はＴｂ（＝５３μｓ）、後ろ側ガードインターバル長はＴｃ（＝５９μｓ）である（図２２参照）。このため、第一Ｐ１シンボル復調部３００のＰ１位置検出部３０１において、入力信号に対して周波数シフト量−ｆSH周波数シフトさせた信号（図２９（ａ）の上側の信号）の後ろ側ガードインターバル区間の信号は、Ｐ１位置検出部３０１の入力信号を第一Ｐ１シンボルの後ろ側ガードインターバル長Ｔｂ（＝５３μｓ）遅延させた信号（図２９（ａ）の下側の信号）の有効シンボル区間内の後ろ側部分の信号と周波数シフト量は同じ０になっているが、乗算器３１８に入力されるタイミングがあっていないため、図２９（ｂ）に示すように相関が大きくならない。一方で、図２９（ａ）の上側の信号の有効シンボル区間内の前側部分の信号は、図２９（ａ）の下側の信号の前側ガードインターバル区間の信号と、乗算器３１８に入力されるタイミングは合うが、周波数シフト量が異なっている。このため、図２９（ｂ）に示すように相関は現れない。このため、図２９（ｂ）に示される相関値を第一Ｐ１シンボルの後ろ側ガードインターバル長Ｔｂの区間積分幅で区間積分しても図２９（ｃ）に示すように顕著なピークは存在しない。
【０１１２】
以上のように、第一Ｐ１シンボル復調部３００において、第二Ｐ１シンボルに対するピークは発生せず、第一Ｐ１シンボルのみ検出することが可能となる。同様に、第二Ｐ１シンボル復調部４００Ａにおいて、第一Ｐ１シンボルに対するピークは発生せず、第二Ｐ１シンボルのみ検出することが可能となる。
＜効果＞
上述した第２の実施の形態によれば、送信側では、前側ガードインターバル区間の信号及び後ろ側ガードインターバル区間の信号の生成において、第一Ｐ１シンボルでは前側ガードインターバル長をＴｃ、後ろ側ガードインターバル長をＴｂとする（図６参照）。一方、第二Ｐ１シンボルでは前側ガードインターバル長をＴｂ、後ろ側ガードインターバル長をＴｃとしている（図２２参照）。このように、第一Ｐ１シンボルと第二Ｐ１シンボルとで互いに異なる長さのガードインターバルを利用して第一Ｐ１シンボル及び第二Ｐ１シンボルを構成することで、受信側では、第一Ｐ１シンボルと第二Ｐ１シンボルとが遅延波かどうか容易に見分けがつき、安定した受信が可能となる。また、ＦＥＦ区間を用いて２つのＰ１シンボル（第一Ｐ１シンボル、第二Ｐ１シンボル）を送信する場合、第一Ｐ１シンボルがＦＥＦ区間の先頭シンボルとなり、第一Ｐ１シンボル復調用の復調部のみを有するＤＶＢ−Ｔ２受信機は、第二Ｐ１シンボルの影響を受けることは無く、既存のＤＶＢ−Ｔ２受信機との親和性を保つことができる。
【０１１３】
≪第３の実施の形態≫
以下、本発明の第３の実施の形態のＯＦＤＭ送信装置およびＯＦＤＭ受信装置について、図面を参照して説明する。なお、本実施の形態において、第１及び第２の実施の形態の構成要素と実質的に同じ構成要素には同じ符号を付し、その説明が適用できるため本実施の形態ではその説明を省略し、或いは、簡単な記載に留める。
【０１１４】
＜ＯＦＤＭ送信装置＞
本実施の形態のＯＦＤＭ送信装置は、第１の実施の形態のＰ１シンボル生成部１１と異なるＰ１シンボル生成部１１Ｂを備え、以下、Ｐ１シンボル生成部１１Ｂについて説明する。
［Ｐ１シンボル生成部］
図３０は、第３の実施の形態におけるＯＦＤＭ送信装置のＰ１シンボル生成部１１Ｂの構成を示すブロック図であり、Ｐ１シンボル生成部１１Ｂは、第１の実施の形態で説明した処理を実施して第一Ｐ１シンボルを生成する第一Ｐ１シンボル生成部１００と第二Ｐ１シンボル生成部２００Ｂとを備える。第二Ｐ１シンボル生成部２００Ｂは、第二Ｐ１シンボルを生成して出力するものであり、第１及び第２の実施の形態の第二Ｐ１シンボル生成部２００，２００Ａと第二Ｐ１シンボルのガードインターバルの付加の仕方が異なる。以下、第二Ｐ１シンボル復調部２００Ｂについて説明する。
【０１１５】
［第二Ｐ１シンボル生成部］
図３１は図３０の第二Ｐ１シンボル生成部２００Ｂの構成を示すブロック図である。第二Ｐ１シンボル生成部２００Ｂは、第二Ｐ１シンボル生成部２００のガードインターバル付加部２０７をガードインターバル付加部２０７Ｂに置き換えた構成をしている。
ガードインターバル付加部２０７Ｂは、ＩＦＦＴ部２０６の出力信号（有効シンボル区間の時間軸上の信号）を利用して、有効シンボル区間の時間軸の信号に対して、前側ガードインターバル区間の時間軸上の信号を付加し、後ろ側ガードインターバル区間の時間軸上の信号を付加し、これによって、第二Ｐ１シンボルを生成する。
【０１１６】
図３２に、ガードインターバル付加部２０７Ｂによる第二Ｐ１シンボルのガードインターバルの付加の様子を表す模式図を示す（時間軸）。図３２に示すように、ガードインターバル付加部２０７Ｂは、有効シンボル区間（Ｔａ＝１１２μｓ）内の前側部分（Ｔｂ＝５３μｓ）の時間軸上の信号を周波数シフト量−ｆSH周波数シフトさせて前側ガードインターバル区間の時間軸上の信号を生成し、生成した前側ガードインターバル区間の時間軸上の信号を有効シンボル区間の時間軸上の信号の前に付加する。また、図３２に示すように、ガードインターバル付加部２０７Ｂは、有効シンボル区間（Ｔａ＝１１２μｓ）内の後ろ側部分（Ｔｃ＝５９μｓ）の時間軸上の信号を周波数シフト量−ｆSH周波数シフトさせて後ろ側ガードインターバル区間の時間軸上の信号を生成し、生成した後ろ側ガードインターバル区間の時間軸上の信号を有効シンボル区間の時間軸上の信号の後ろに付加する。
【０１１７】
上述した通り、第一Ｐ１シンボル及び第二Ｐ１シンボルでは、双方ともに、前側ガードインターバル区間の時間軸上の信号の生成には、有効シンボル区間の時間軸上の信号のうちの前側の部分を利用し、後ろ側ガードインターバル区間の時間軸上の信号の生成には、有効シンボル区間の時間軸上の信号のうちの後ろ側の部分を利用している（図６、図３２参照）。
【０１１８】
しかしながら、第一Ｐ１シンボルでは、前側ガードインターバル区間の時間軸上の信号及び後ろ側ガードインターバル区間の時間軸上の信号は、有効シンボル区間の該当部分の時間軸上の信号を周波数シフト量＋ｆSH（≠０）周波数シフトしたものである（図６参照）。これに対して、第二Ｐ１シンボルでは、前側ガードインターバル区間の時間軸上の信号及び後ろ側ガードインターバル区間の時間軸上の信号は、有効シンボル区間の該当部分の時間軸上の信号を周波数シフト量−ｆSH（ｆSHと絶対値が同じで、符号が異なる）周波数シフトしたものである（図３２参照）。このように、第一Ｐ１シンボルと第二Ｐ１シンボルとでは、ガードインターバル区間の時間軸上の信号の生成時に有効シンボル区間の該当部分の時間軸上の信号を周波数シフトする周波数シフト量が互いに異なっている。
【０１１９】
また、第一Ｐ１シンボルの前側ガードインターバル区間の時間軸上の信号の生成に利用される有効シンボル区間の該当部分の長さはＴｃ（＝５９μｓ）であり（図６参照）、第二Ｐ１シンボルの前側ガードインターバル区間の時間軸上の信号の生成に利用される有効シンボル区間の該当部分の長さはＴｂ（＝５３μｓ）であり（図３２参照）、利用する有効シンボル区間の該当部分の長さが互いに異なっている。また、第一Ｐ１シンボルの後ろ側ガードインターバル区間の時間軸上の信号の生成に利用される有効シンボル区間の該当部分の長さはＴｂ（＝５３μｓ）であり（図６参照）、第二Ｐ１シンボルの後ろ側ガードインターバル区間の時間軸上の信号の生成に利用される有効シンボル区間の該当部分の長さはＴｃ（＝５９μｓ）であり（図３２参照）、利用する有効シンボル区間の該当部分の長さが互いに異なっている。
【０１２０】
＜ＯＦＤＭ受信装置＞
本実施の形態のＯＦＤＭ受信装置は、第１の実施の形態のＰ１シンボル復調部２６と異なるＰ１シンボル復調部２６Ｂを備え、以下、Ｐ１シンボル復調部２６Ｂについて説明する。
［Ｐ１シンボル復調部］
図３３は、第３の実施の形態におけるＯＦＤＭ受信装置のＰ１シンボル復調部２６Ｂの構成を示すブロック図であり、Ｐ１シンボル復調部２６Ｂは、第１の実施の形態で説明した処理を実施して第一Ｐ１シンボルを復調する第一Ｐ１シンボル復調部３００と第二Ｐ１シンボル復調部４００Ｂとを備える。第二Ｐ１シンボル復調部４００Ｂは第二Ｐ１シンボルを復調するものであり、第１及び第２の実施の形態の第二Ｐ１シンボル復調部４００，４００Ａと構成が異なる。以下、第二Ｐ１シンボル復調部４００Ｂについて説明する。
【０１２１】
［第二Ｐ１シンボル復調部］
図３４は図３３の第二Ｐ１シンボル復調部４００Ｂの構成を示すブロック図であり、第二Ｐ１シンボル復調部４００Ｂは、Ｐ１位置検出部４０１ＢとＦＦＴ部４０２とＰ１デコード部４０３とを備える。
Ｐ１位置検出部４０１Ｂは、時間軸上の信号である、Ｐ１位置検出部４０１Ｂの入力信号（つまり、第二Ｐ１シンボル復調部４００Ｂの入力信号）での第二Ｐ１シンボルの位置を検出し、検出結果に基づく第二Ｐ１シンボルの位置情報をＦＦＴ部４０２へ出力するものであり、その構成を図３５に示す。
【０１２２】
Ｐ１位置検出部４０１Ｂは、乗算器５０１と、遅延器５０２と、複素共役演算器５０３と、乗算器５０４と、区間積分演算器５０５と、遅延器５０６と、複素共役演算器５０７と、乗算器５０８と、区間積分演算器５０９と、遅延器５１０と、乗算器５１１と、ピーク検出器５１２とを備える。
Ｐ１位置検出部４０１Ｂの入力信号は乗算器５０１に入力される。乗算器５０１は、送信側で第二Ｐ１シンボルの前側ガードインターバル区間及び後ろ側ガードインターバル区間の時間軸上の信号に施された周波数シフト量−ｆSHの周波数シフトとは逆特性の周波数シフト（周波数シフト量＋ｆSHの周波数シフト）をＰ１位置検出部４０１Ｂの入力信号に施すために、Ｐ１位置検出部４０１Ｂの入力信号に対してｅｘｐ（＋ｊ２πｆSHｔ）を乗算し、乗算結果を遅延器５０２と乗算器５０８とへ出力する。なお、乗算器５０１は、入力信号に対して、第一Ｐ１シンボル復調部３００の乗算器３１１（図１３参照）と異なる周波数シフトを施している。遅延器５０２は、乗算器５０１の出力信号を第二Ｐ１シンボルの前側ガードインターバル長に相当する長さＴｂ（＝５３μｓ）だけ遅延させて複素共役演算器５０３へ出力する。なお、遅延器５０２での遅延量Ｔｂ（＝５３μｓ）は、第一Ｐ１シンボル復調部３００のＰ１位置検出部３０１の遅延器３１２での遅延量Ｔｃ（＝５９μｓ）と異なる。複素共役演算器５０３は、遅延器５０２の出力信号の複素共役の信号を求め、求めた複素共役の信号を乗算器５０４へ出力する。乗算器５０４は、Ｐ１位置検出部４０１Ｂの入力信号と複素共役演算器５０３の出力信号とを乗算することによって相関を算出し、算出した相関値を区間積分演算器５０５へ出力する。区間積分演算器５０５は、第二Ｐ１シンボルの前側ガードインターバル長Ｔｂを区間積分幅として乗算器５０４の出力信号に対して区間積分を実施し、区間積分結果を遅延器５１０へ出力する。
【０１２３】
また、Ｐ１位置検出部４０１Ｂの入力信号は遅延器５０６に入力され、遅延器５０６はＰ１位置検出部４０１Ｂの入力信号を第二Ｐ１シンボルの後ろ側ガードインターバル長Ｔｃ（＝５９μｓ）だけ遅延させて複素共役演算器５０７へ出力する。なお、遅延器５０６での遅延量Ｔｃ（＝５９μｓ）は、第一Ｐ１シンボル復調部３００のＰ１位置検出部３０１の遅延器３１６での遅延量Ｔｂ（＝５３μｓ）と異なっている。複素共役演算器５０７は、遅延器５０６の出力信号の複素共役の信号を求め、求めた複素共役の信号を乗算器５０８へ出力する。なお、乗算器５０８には、乗算器５０１からＰ１位置検出部４０１Ｂの入力信号に対してｅｘｐ（＋ｊ２πｆSHｔ）を乗算した乗算結果が入力されている。乗算器５０８は、乗算器５０１の出力信号（Ｐ１位置検出部４０１Ｂの入力信号を周波数シフト量＋ｆSH周波数シフトした信号）と複素共役演算器５０７の出力信号とを乗算することによって相関を算出し、算出した相関値を区間積分演算器５０９へ出力する。区間積分演算器５０９は、第二Ｐ１シンボルの後ろ側ガードインターバル長Ｔｃを区間積分幅として乗算器５０８の出力信号の区間積分を実施し、区間積分結果を乗算器５１１へ出力する。
【０１２４】
区間積分演算器５０５の出力信号は遅延器５１０に入力され、遅延器５１０は区間積分演算器５０５の出力信号に対して区間積分演算器５０９の出力信号との遅延調整を施して乗算器５１１へ出力する。なお、遅延器５１０による遅延量は２×Ｔｃである。乗算器５１１は、区間積分演算器５１９の出力信号と遅延器５１０の出力信号との乗算を実施し、乗算結果をピーク検出器５１２へ出力する。このように、前側ガードインターバル区間に関する相関値の区間積部結果のピークと後ろ側ガードインターバル区間に関する相関値の区間積分結果のピークとを合わせることで、さらにピークを顕著なものにできる。ピーク検出器５１２は乗算器５１１の出力信号のピーク位置を検出することによってＰ１位置検出部４０１Ｂの入力信号（つまり、Ｐ１シンボル復調部４０１Ｂの入力信号）での第二Ｐ１シンボルの位置を検出し、検出結果に基づく第二Ｐ１シンボルの位置情報を図３４のＦＦＴ部４０２へ出力する。なお、遅延波が存在すると、遅延波の箇所にもその遅延波のレベルに対応した相関のピークが出現することになる。
【０１２５】
＜効果＞
上述した第３の実施の形態によれば、第１の実施の形態及び第２の実施の形態と同様の効果が得られる。なお、この場合には、例えば、第一Ｐ１シンボル復調部３００のＰ１位置検出部３０１において、第二Ｐ１シンボルに対する処理時に、乗算器３１１から区間積分演算器３１５までの相関演算及び区間積分演算において誤って後ろ側ガードインターバルでピークが生じ、乗算器３１１、遅延器３１６から区間積分演算器３１９までの相関演算及び区間積分演算において誤って前側ガードインターバルでピークが生じるが、乗算器３２１の乗算処理によってピークが無くなるので、第二Ｐ１シンボルの位置を誤って第一Ｐ１シンボルの位置と検出してしまうことはない。同様に、第二Ｐ１シンボル復調部４００ｂのＰ１位置検出部４０１ｂにおいて、第一Ｐ１シンボルの位置を誤って第二Ｐ１シンボルの位置と検出してしまうことはない。
【０１２６】
ここで、第３の実施の形態において、第一Ｐ１シンボルの前側ガードインターバル長をＴｃ１及びその後ろ側ガードインターバル長をＴｂ１、第二Ｐ１シンボルの前側ガードインターバル長をＴｃ２及びその後ろ側ガードインターバル長をＴｂ２とし、Ｔｃ１、Ｔｂ１、Ｔｃ２、Ｔｂ２の夫々を異なる値となるように変形してもよい。この場合には、第一Ｐ１シンボル復調部３００のＰ１位置検出部３０１における第二Ｐ１シンボルに対する処理時にピークが発生することがなく、第二Ｐ１シンボル復調部４００ｂのＰ１位置検出部４０１ｂにおける第一Ｐ１シンボルに対する処理時にピークが発生することがなくなる。
【０１２７】
≪第４の実施の形態≫
以下、本発明の第４の実施の形態のＯＦＤＭ送信装置およびＯＦＤＭ受信装置について、図面を参照して説明する。なお、本実施の形態において、第１から第３の実施の形態の構成要素と実質的に同じ構成要素には同じ符号を付し、その説明が適用できるため本実施の形態ではその説明を省略し、或いは、簡単な記載に留める。
【０１２８】
＜ＯＦＤＭ送信装置＞
本実施の形態のＯＦＤＭ送信装置は、第１の実施の形態のＰ１シンボル生成部１１と異なるＰ１シンボル生成部１１Ｃを備え、以下、Ｐ１シンボル生成部１１Ｃについて説明する。
［Ｐ１シンボル生成部］
図３６は、第４の実施の形態におけるＯＦＤＭ送信装置のＰ１シンボル生成部１１Ｃの構成を示すブロック図であり、Ｐ１シンボル生成部１１Ｃは、第１の実施の形態で説明した処理を実施して第一Ｐ１シンボルを生成する第一Ｐ１シンボル生成部１００と第二Ｐ１シンボル生成部２００Ｃとを備える。第二Ｐ１シンボル生成部２００Ｃは、第二Ｐ１シンボルを生成して出力するものであり、第１から第３の実施の形態の第二Ｐ１シンボル生成部２００，２００Ａ，２００Ｂが用いるサブキャリア配置（Ａｃｔｉｖｅキャリア及びＮｕｌｌキャリアの配置）と異なるサブキャリア配置を用いる。以下、第二Ｐ１シンボル生成部２００Ｃについて説明する。
【０１２９】
［第二Ｐ１シンボル生成部］
図３７は、図３６の第二Ｐ１シンボル生成部２００Ｃの構成を示すブロック図である。第二Ｐ１シンボル生成部２００Ｃは、第二Ｐ１シンボル生成部２００のキャリア配置系列生成部２０１をキャリア配置系列生成部２０１Ｃに置き換えた構成をしている。
キャリア配置系列生成部２０１Ｃは、第一Ｐ１シンボル生成部１００のキャリア配置系列生成部１０１がキャリア配置部１０５へ出力するキャリア配置系列ａ［ｊ］と異なるキャリア配置系列ｂ［ｊ］を生成し、或いは、キャリア配置系列ｂ［ｊ］をストアしておき、キャリア配置系列ｂ［ｊ］をキャリア配置部２０５へ出力する。但し、Ａｃｔｉｖｅキャリアのサブキャリア番号ｊにおいてｂ［ｊ］＝１、Ｎｕｌｌキャリアのサブキャリア番号ｊにおいてｂ［ｊ］＝０とする。なお、キャリア配置部２０５は、キャリア配置系列ａ［ｊ］の代わりにキャリア配置系列ｂ［ｊ］を用いてＡｃｔｉｖｅキャリアへのデータのマッピングを行う。
【０１３０】
ここでは、キャリア配置系列ａ［ｊ］とキャリア配置系列ｂ［ｊ］とが直交する（無相関になる）ように、キャリア配置系列ａ［ｊ］とキャリア配置系列ｂ［ｊ］とを設定する。この一例を図３８に示す。但し、図３８（ａ）は、第一Ｐ１シンボルのサブキャリア配置（キャリア配置系列ａ［ｊ］で示されるサブキャリア配置）を示す模式図（周波数軸）である。また、図３８（ｂ）は、第二Ｐ１シンボルのサブキャリア配置（キャリア配置系列ｂ［ｊ］で示されるサブキャリア配置）を示す模式図（周波数軸）である。
【０１３１】
なお、第一Ｐ１シンボル用のキャリア配置系列ａ［ｊ］と第二Ｐ１シンボル用のキャリア配置系列ｂ［ｊ］とが互いに直交する代わりに、次のようなものであってもよい。第一Ｐ１シンボルのキャリア配置系列ａ［ｊ］における０を示す複数の箇所の一部が、第二Ｐ１シンボルのキャリア配置系列ｂ［ｊ］で１を示すように、キャリア配置系列ａ［ｊ］とキャリア配置系列ｂ［ｊ］とを設定してもよい。つまり、第一Ｐ１シンボルの複数のＮｕｌｌキャリアの一部（第二Ｐ１シンボルの複数のＡｃｔｉｖｅキャリア分）を、第二Ｐ１シンボルの複数のＡｃｔｉｖｅキャリアとしてもよい。この一例を図３９に示す。但し、図３９（ａ）は、第一Ｐ１シンボルのサブキャリア配置（キャリア配置系列ａ［ｊ］で示されるサブキャリア配置）を示す模式図（周波数軸）である。また、図３９（ｂ）は、第二Ｐ１シンボルのサブキャリア配置（キャリア配置系列ｂ［ｊ］で示されるサブキャリア配置）を示す模式図（周波数軸）である。
【０１３２】
＜ＯＦＤＭ受信装置＞
本実施の形態のＯＦＤＭ受信装置は、第１の実施の形態のＰ１シンボル復調部２６と異なるＰ１シンボル復調部２６Ｃを備え、以下、Ｐ１シンボル復調部２６Ｃについて説明する。
［Ｐ１シンボル復調部］
図４０は、第４の実施の形態におけるＯＦＤＭ受信装置のＰ１復調部２６Ｃの構成を示すブロック図であり、Ｐ１シンボル復調部２６Ｃは、第１の実施の形態で説明した処理を実施して第一Ｐ１シンボルを復調する第一Ｐ１シンボル復調部３００と第二Ｐ１シンボル復調部４００Ｃとを備える。第二Ｐ１シンボル復調部４００Ｃは第二Ｐ１シンボルを復調するものであり、第１から第３の実施の形態の第二Ｐ１シンボル復調部４００，４００Ａ，４００Ｂと構成が異なる。以下、第二Ｐ１シンボル復調部４００Ｃについて説明する。
【０１３３】
［第二Ｐ１シンボル復調部］
図４１は図４０の第二Ｐ１シンボル復調部４００Ｃの構成を示すブロック図である。第二Ｐ１シンボル復調部４００Ｃは、第１の実施の形態の第二Ｐ１シンボル復調部４００のＰ１デコード部４０３をＰ１デコード部４０３Ｃに置き換えた構成をしている。
Ｐ１デコード部４０３Ｃは、キャリア配置系列ｂ［ｊ］を生成し、或いは、ストアしておき、キャリア配置系列ｂ［ｊ］を基に周波数軸上の信号中のＡｃｔｉｖｅキャリアを用いて第二Ｐ１シンボルのデコード処理を実施し、第二Ｐ１シンボルに付加されたＳ１信号の値及びＳ２信号の値を求め、Ｓ１信号の値及びＳ２信号の値を基に送信パラメータ情報を取り出す。
【０１３４】
＜効果＞
上述したＯＦＤＭ送信装置およびＯＦＤＭ受信装置では、第一Ｐ１シンボルでのＡｃｔｉｖｅキャリアの配置箇所と第二Ｐ１シンボルでのＡｃｔｉｖｅキャリアの配置箇所とを変えているため（第一Ｐ１シンボルのＡｃｔｉｖｅキャリアの一部（全部でない）と第二Ｐ１シンボルのＡｃｔｉｖｅキャリアの一部（全部でない）とが同じサブキャリアに配置される場合もある）、図４２に示すように、遅延環境における互いの干渉成分を少なくすることができる。第一Ｐ１シンボルと第二Ｐ１シンボルとのキャリア配置系列を直交にすれば、遅延波によるＰ１シンボルの干渉の影響を受けるキャリアはほぼ半数とすることができ、第一Ｐ１シンボルのＮｕｌｌキャリア部分のみを第二Ｐ１シンボルのＡｃｔｉｖｅキャリアにするという配置にすれば、影響を受けるキャリアはほとんどないということになり、遅延環境においても安定した受信を可能とすることができる。また、ＦＥＦ区間を用いて送信する場合、第一Ｐ１シンボルがＦＥＦ区間の先頭シンボルとなり、第二Ｐ１シンボルのキャリア配置が第一Ｐ１シンボルと異なるため、ＤＶＢ−Ｔ２受信機が第一Ｐ１シンボルと識別が付き易くなり、第二Ｐ１シンボルによって受信不可になることを抑制することができる。
【０１３５】
≪変形≫
本発明は上記の実施の形態で説明した内容に限定されず、本発明の目的とそれに関連又は付随する目的を達成するためのいかなる形態においても実施可能であり、例えば、以下であってもよい。
（１）第１の実施の形態では、前側ガードインターバル区間及び後ろ側ガードインターバル区間の信号の生成において、第一Ｐ１シンボルでは周波数シフト量を＋ｆSHとし（図６参照）、第二Ｐ１シンボルでは周波数シフト量を−ｆSHとした（図８参照）が、これに限られない。例えば、前側ガードインターバル区間及び後ろ側ガードインターバル区間の信号の生成において、第一Ｐ１シンボルでは周波数シフト量を＋ｆSHとし、第二Ｐ１シンボルでは周波数シフト量を＋２ｆSHとしてもよく、第一Ｐ１シンボルでの周波数シフト量と第二Ｐ１シンボルでの周波数シフト量とが異なっていればよい。但し、これには、一方の周波数シフト量が「０」、他方の周波数シフト量が「０」と異なる値の場合も含み、周波数シフト量が「０」の場合も周波数シフトの一つとして取り扱う。なお、第二Ｐ１シンボルでの周波数シフト量が＋２ｆSHの場合、第二Ｐ１シンボル復調部４００では、周波数シフト量−２ｆSHの周波数シフトを実施して（乗算器４１１が入力信号に対してｅｘｐ（−２πｆSHｔ）を乗算して）相関を取る構成とする。
【０１３６】
（２）第１の実施の形態では、第一Ｐ１シンボルの前側ガードインターバル区間の周波数シフト量とその後ろ側ガードインターバル区間の周波数シフト量とを同じにし（＋ｆSH）、第二Ｐ１シンボルの前側ガードインターバル区間の周波数シフト量とその後ろ側ガードインターバル区間の周波数シフト量とを同じにした（−ｆSH）が、これに限られない。第一Ｐ１シンボルの前側ガードインターバル区間の周波数シフト量とその後ろ側ガードインターバル区間の周波数シフト量とが異なっていてもよいし、第二Ｐ１シンボルの前側ガードインターバル区間の周波数シフト量とその後ろ側ガードインターバル区間の周波数シフト量とが異なっていてもよい。この場合、前側ガードインターバル区間の信号の生成において、第一Ｐ１シンボルでの周波数シフト量と第二Ｐ１シンボルでの周波数シフト量とが異なるようにし、後ろ側ガードインターバル区間の信号の生成において、第一Ｐ１シンボルでの周波数シフト量と第二Ｐ１シンボルでの周波数シフト量とが異なるようにすればよい。この場合には、図１３のＰ１位置検出部３０１を、例えば、次のように変形すればよい。乗算器３１１は第一Ｐ１シンボルの前側ガードインターバル区間の信号に施された周波数シフトとは逆特性の周波数シフトを入力信号に対して施して遅延器３１２へ出力する（乗算器３１８への出力は行わない）。更に、Ｐ１位置検出部に新たに乗算器を追加し、新たに追加された乗算器は第一Ｐ１シンボルの後ろ側ガードインターバル区間の信号に施された周波数シフトとは逆特性の周波数シフトを入力信号に対して施して乗算器３１８へ出力する。また、図１５のＰ１位置検出部４０１を、例えば、次のように変形すればよい。乗算器４１１は第二Ｐ１シンボルの前側ガードインターバル区間の信号に施された周波数シフトとは逆特性の周波数シフトを入力信号に対して施して遅延器４１２へ出力する（乗算器４１８への出力は行わない）。更に、Ｐ１位置検出部に新たに乗算器を追加し、新たに追加された乗算器は第二Ｐ１シンボルの後ろ側ガードインターバル区間の信号に施された周波数シフトとは逆特性の周波数シフトを入力信号に対して施して乗算器４１８へ出力する。
【０１３７】
（３）第１の実施の形態では、Ｐ１シンボルを２つ（第一Ｐ１シンボル、第二Ｐ１シンボル）としたが、これに限定されず、３つ以上のＰ１シンボルが存在してもよく、この場合には、前側ガードインターバル区間及び後ろ側ガードインターバル区間の信号の生成において、３つ以上のＰ１シンボルの各々の周波数シフト量が互いに異なるようにすればよい。
【０１３８】
（４）第１の実施の形態では、第一Ｐ１シンボル及び第二Ｐ１シンボルがＤＶＢ−Ｔ２規格のＰ１シンボルに対応したものとしたことから、第一Ｐ１シンボル及び第二Ｐ１シンボルでの前側ガードインターバル長をＴｃ（＝５９μｓ）、及び、後ろ側ガードインターバル長をＴｂ（＝５３μｓ）としたが、これに限られない。第一Ｐ１シンボル及び第二Ｐ１シンボルでの前側ガードインターバル長がＴｃ（＝５９μｓ）以外であってもよく、複数のＰ１シンボルでの後ろ側ガードインターバル長がＴｂ（＝５３μｓ）以外であってもよく、Ｐ１シンボルが複数存在する場合においても同様である。例えば、第一Ｐ１シンボル及び第二Ｐ１シンボルでの前側ガードインターバル長をＴｂ（＝５３μｓ）とし、及び、後ろ側ガードインターバル長をＴｃ（＝５９μｓ）としてもよい。なお、前側ガードインターバル長と後ろ側ガードインターバル長とを同じにしてもよい。この場合には、例えば、第一Ｐ１シンボル復調部３００のＰ１位置検出部３０１において、第二Ｐ１シンボルに対する処理時に、乗算器３１１から区間積分演算器３１５までの相関演算及び区間積分演算において誤って後ろ側ガードインターバルでピークが生じ、乗算器３１１、遅延器３１６から区間積分演算器３１９までの相関演算及び区間積分演算において誤って前側ガードインターバルでピークが生じるが、乗算器３２１の乗算処理によってピークが無くなるので、第二Ｐ１シンボルの位置を誤って第一Ｐ１シンボルの位置と検出してしまうことはない。
【０１３９】
（５）第１から第３の実施の形態では、第一Ｐ１シンボル及び第二Ｐ１シンボルがＤＶＢ−Ｔ２規格のＰ１シンボルに対応したものとしたことから、サブキャリア配置を示す（Ａｃｔｉｖｅキャリアがどのサブキャリアに配置されているかを示す）キャリア配置系列を図４に従ったものとしたが、これに限定されるものではなく、キャリア配置系列はどのようなものであってもよい。なお、Ａｃｔｉｖｅキャリは離散的である必要はなく、全サブキャリアをＡｃｔｉｖｅキャリアとするものでもよく、中央部分の複数のサブキャリアをＡｃｔｉｖｅキャリアとするものでもよい。
【０１４０】
（６）第１から第４の実施の形態において、フレームの構成として、図９に示すように、第一Ｐ１シンボルがフレームの先頭で直後に第二Ｐ２シンボルが続くフレーム構成としたが、これに限られず、図４３に示すように第一Ｐ１シンボルをフレームの先頭に配置し、第二Ｐ１シンボルをフレームの途中に配置するフレーム構成であったり、図４４に示すように第一Ｐ１シンボルをフレームの先頭に配置し、第二Ｐ１シンボルをフレームの最後に配置するフレーム構成であってもよく、フレーム構成は特に限定されない。なお、図４３、図４４中の「１ｓｔＰ１シンボル」は第一Ｐ１シンボル、「２ｎｄＰ１シンボル」は第二Ｐ１シンボルである。また、例えば、第二Ｐ１シンボルは数フレームごとに出現するようにしてもよい。
【０１４１】
（７）第１から第４の実施の形態では、ＩＦＦＴ後の有効シンボル区間の一部分の時間軸上の信号に回転を施してガードインターバル区間（前側ガードインターバル区間、後ろ側ガードインターバル区間）の時間軸上の信号を生成するようにしているが、ガードインターバル区間の時間軸上の信号の生成の仕方はこれに限定されるものではなく、例えば、次のようなものであってもよい。ＩＦＦＴ前の周波数軸上の信号を周波数シフトしておき、周波数シフト後の周波数軸上の信号をＩＦＦＴし、ＩＦＦＴ後の時間軸上の信号の一部をガードインターバル区間の時間軸上の信号に用いるようにしてもよい。
【０１４２】
（８）第１から第４の実施の形態では、各Ｐ１シンボル復調部は、第一Ｐ１シンボル復調部及び第二Ｐ１シンボル復調部において各々Ｐ１位置検出部を有する構成としたが、これに限定されるものではなく、各Ｐ１シンボル復調部は第一Ｐ１シンボル検出用のＰ１位置検出部及び第二Ｐ１シンボル検出用のＰ１位置検出部の一方のみ（例えば第一Ｐ１シンボル検出用のＰ１位置検出部のみ）備えるようにしてもよい。この場合、Ｐ１位置検出部は一方のＰ１シンボルの位置を検出し、これをもとに、送信フォーマットにおける第一Ｐ１シンボルと第二Ｐ１シンボルとの位置の関係から、他方のＰ１シンボルの位置を予測する。一方のＦＦＴ部は検出された一方のＰ１シンボルの位置に基づいてＦＦＴを実施し、他方のＦＦＴ部は予測された一方のＰ１シンボルの位置に基づいてＦＦＴを実施する。これにより、Ｐ１位置検出部の数を減らすことができ、回路規模の抑制が可能となる。
【０１４３】
一例として、図４５に第一Ｐ１シンボル検出用のＰ１位置検出部３０１Ｄのみを有するＰ１シンボル復調部２６Ｄの構成を示す。なお、ここでは、第１の実施の形態のＰ１シンボル復調部２６の変形例として記載するが、第２から第４の実施の形態のＰ１シンボル復調部２６Ａ，２６Ｂ，２６Ｃに対しても同様の変形となる。Ｐ１シンボル復調部２６ＤのＰ１位置検出部３０１Ｄは、図１３に構成を示すＰ１位置検出部３０１に、次の機能を付加したものである。Ｐ１位置検出部３０１Ｄは、ピーク検出器３２２によって検出される第一Ｐ１シンボルの位置から、送信フォーマットにおける第一Ｐ１シンボルと第二Ｐ１シンボルとの位置の関係とを利用して、第二Ｐ１シンボルの位置を予測し、予測結果に基づく第二Ｐ１シンボルの位置情報をＦＦＴ部４０２へ出力する。ＦＦＴ部４０２は、Ｐ１位置検出部３０１Ｄからの第二Ｐ１シンボルの位置情報に基づいて、Ｐ１シンボル復調部２６Ｄの入力信号（時間軸上の信号）をＦＦＴする。
【０１４４】
なお、Ｍ（Ｍは３以上の整数）個のＰ１シンボルが存在する場合には、Ｍ個のＰ１シンボルの夫々用のＰ１位置検出部を備えるようにしてもよく、（Ｍ−１）個未満のＰ１シンボルの夫々用のＰ１位置検出部を備えるようにしてもよい。
（９）第１から第４の実施の形態では、各Ｐ１シンボル復調部は、第一Ｐ１シンボルの位置及び第二Ｐ１シンボルの位置を別個に検出する構成としたが、これに限らず、Ｐ１シンボル復調部は、第一Ｐ１シンボルに関する前半部分の区間積分結果と後半部分の区間積分結果とを乗算した乗算結果と、第二Ｐ１シンボルに関する前半部分の区間積分結果と後半部分の区間積分結果とを乗算した乗算結果とを遅延調整の上、両者を乗算することによってよりピークを顕著化して第一Ｐ１シンボルの位置及び第二Ｐ１シンボルの位置を見つける構成としてもよい。
【０１４５】
一例として、図４６にＰ１シンボル復調部２６Ｅの構成を示す。なお、ここでは、第１の実施の形態のＰ１シンボル復調部２６の変形例として記載するが、第２から第４の実施の形態のＰ１シンボル復調部２６Ａ，２６Ｂ，２６Ｃに対しても同様の変形となる。
Ｐ１シンボル復調部２６Ｅは、Ｐ１相関演算部３０１Ｅと、Ｐ１相関演算部４０１Ｅと、遅延器６０１と、乗算器６０２と、ピーク検出器６０３と、ＦＦＴ部３０２と、Ｐ１デコード部３０３と、ＦＦＴ部４０２と、Ｐ１デコード部４０３とを備える。
【０１４６】
Ｐ１相関演算部３０１Ｅは、図４７に示す構成をしており、Ｐ１相関演算部３０１Ｅの乗算器３２１は乗算結果を遅延器６０１へ出力する。なお、図４７に示すＰ１相関演算部３０１Ｅは、図１３に構成を示すＰ１位置検出部３０１から、ピーク検出器３２２を取り除いた構成をしている。Ｐ１相関演算部４０１Ｅは図４８に示す構成をしており、Ｐ１相関演算部４０１Ｅの乗算器４２１は乗算結果を乗算器６０２へ出力する。なお、図４８に示すＰ１相関演算部４０１Ｅは、図１５に構成を示すＰ１位置検出部４０１から、ピーク検出器４２２を取り除いた構成をしている。
【０１４７】
遅延器６０１は、Ｐ１相関演算部３０１Ｅの乗算器３２１の出力信号に対して、Ｐ１相関演算部４０１Ｅの乗算器４２１の出力信号との遅延調整（第一Ｐ１シンボルと第二Ｐ１シンボルの遅延調整）を施して乗算器６０２へ出力する。乗算器６０２は、遅延器６０１の出力信号とＰ１相関演算部４０１Ｅの乗算器４２１の出力信号とを乗算し、乗算結果をピーク検出器６０３へ出力する。ピーク検出器６０３は、乗算器６０２の出力信号のピークを検出し、検出結果と、送信フォーマットにおける第一Ｐ１シンボルと第二Ｐ１シンボルとの位置関係とに基づいて、Ｐ１シンボル復調部２７Ｅの入力信号における第一Ｐ１シンボルの位置と第二Ｐ１シンボルの位置とを得る。そして、ピーク検出器６０３は、第一Ｐ１シンボルの位置情報をＦＦＴ部３０２へ出力し、ＦＦＴ部３０２はこれを基にＦＦＴを実施する。ピーク検出器６０３は、第二Ｐ１シンボルの位置情報をＦＦＴ部４０２へ出力し、ＦＦＴ部４０２はこれを基にＦＦＴを実施する。このことにより、第一Ｐ１シンボル及び第二Ｐ１シンボルの位置の検出の精度が向上する。
【０１４８】
（１０）第１から第４の実施の形態の各Ｐ１シンボル復調部において、多重処理等により、ＦＦＴ部およびデコード部の共通化を実施して回路規模を抑制してもよい。
（１１）第１から第４の実施の形態や変形例の各Ｐ１位置検出部や変形例の各Ｐ１相関演算部において、送信側で与えられた周波数シフトとは逆特性（絶対値が同じで、符号が異なる）の周波数シフトを施して相関を得る構成としたが、数学的に同じ処理であれば、周波数シフト、遅延、及び相関（複素共役、乗算）の順序およびそれに伴う周波数シフトの方向は適宜変更可能である。
【０１４９】
（１２）第１から第４の実施の形態において、送信側ではＩＦＦＴ（逆直交変換の一つ）を実施し、受信側ではＦＦＴ（直交変換の一つ）を実施するとしたが、これに限定されるものではなく、送信側で逆フーリエ変換、逆コサイン変換、逆ウェーブレット変換、逆アダマール変換などの逆直交変換を実施し、受信側でフーリエ変換、コサイン変換、ウェーブレット変換、アダマール変換などの直交変換を実施するようにしてもよい。
【０１５０】
（１３）第２の実施の形態において、図６及び図２２で示した第一Ｐ１シンボル及び第二Ｐ１シンボルの前側ガードインターバル区間及び後ろ側ガードインターバル区間の時間軸上の信号の生成に利用する有効シンボル区間の箇所の長さは、一例であって、これに限定されるものではない。第一Ｐ１シンボル及び第二Ｐ１シンボルの前側ガードインターバル区間の時間軸上の信号の生成に利用する有効シンボル区間の箇所の長さが互いに異なっていればよい（前側ガードインターバル長の長さが異なっていればよい）。また、第一Ｐ１シンボル及び第二Ｐ１シンボルの後ろ側ガードインターバル区間の時間軸上の信号の生成に利用する有効シンボル区間の箇所の長さが互いに異なっていればよい（後ろ側ガードインターバル長の長さが異なっていればよい）。この場合において、第一Ｐ１シンボルの前側ガードインターバル長とその後ろ側ガードインターバル長とが同じであっても異なっていてもよく、第二Ｐ１シンボルの前側ガードインターバル長とその後ろ側ガードインターバル長とが同じであっても異なっていてもよい。
【０１５１】
（１４）第２の実施の形態では、第一Ｐ１シンボル及び第二Ｐ１シンボルのガードインターバル生成時の周波数シフト量をｆSH（第一Ｐ１シンボル及び第二Ｐ１シンボルの１サブキャリア間隔分）としたが、これに限定されるものではなく、周波数シフト量はｆSH以外の値（「０」も含む。）であってもよい。
（１５）第一Ｐ１シンボル及び第二Ｐ１シンボルの前側ガードインターバル区間の時間軸上の信号の生成に利用する有効シンボル区間の箇所が互いに異なるようにし、第一Ｐ１シンボル及び第二Ｐ１シンボルの後ろ側ガードインターバル区間の時間軸上の信号の生成に利用する有効シンボル区間の箇所が互いに異なるようにして、ガードインターバルを生成するようにしてもよい。その一例を、図４９（ａ），（ｂ）に示す。図４９（ａ），（ｂ）の一例では、ガードインターバル付加部は、第一Ｐ１シンボルでは有効シンボル区間内の前側部分の信号を、第二Ｐ１シンボルでは有効シンボル区間内の後ろ側部分の信号を、周波数シフト量ｆSH分周波数シフトさせて前側ガードインターバル区間の時間軸上の信号を生成して、生成した前側ガードインターバル区間の時間軸上の信号を有効シンボル区間の時間軸上の信号の前に付加する。また、ガードインターバル付加部は、第一Ｐ１シンボルでは有効シンボル区間内の後ろ側部分の信号を、第二Ｐ１シンボルでは有効シンボル区間内の前側部分の信号を、周波数シフト量ｆSH分周波数シフトさせて後ろ側ガードインターバル区間の時間軸上の信号を生成して、生成した後ろ側ガードインターバル区間の時間軸上の信号を有効シンボル区間の時間軸上の信号の後ろに付加する。この場合、図２５のＰ１位置検出部４０１Ａは、相関を算出するため、遅延器４５２、遅延器４５６、遅延器４６０での遅延量をそれぞれ送信フォーマットにあわせた遅延量にすればよい。
【０１５２】
なお、前側ガードインターバル長や後ろ側ガードインターバル長は一例であって、これに限定されるものではない。また、周波数シフト量は一例であって、これに限定されるものではなく、周波数シフト量はｆSH（第一Ｐ１シンボル及び第二Ｐ１シンボルの１サブキャリア間隔分）以外の値（「０」も含む。）であってもよい。
（１６）第２の実施の形態でのガードインターバルの生成の仕方と、上記の（１５）のガードインターバルの生成の仕方とを組み合わせてもよい。つまり、第一Ｐ１シンボルの前側ガードインターバル区間の時間軸上の信号の生成に利用する有効シンボル区間の箇所及びその箇所の長さと、第二Ｐ１シンボルの前側ガードインターバル区間の時間軸上の信号の生成に利用する有効シンボル区間の箇所とその箇所の長さとの双方を互いに異なるようにしてもよい。また、第一Ｐ１シンボルの後ろ側ガードインターバル区間の時間軸上の信号の生成に利用する有効シンボル区間の箇所及びその箇所の長さと、第二Ｐ１シンボルの後ろ側ガードインターバル区間の時間軸上の信号の生成に利用する有効シンボル区間の箇所とその箇所の長さとの双方、を互いに異なるようにしてもよい。
【０１５３】
（１７）第２の実施の形態の形態及び上記の（１５）、（１６）では、Ｐ１シンボルを２つ（第一Ｐ１シンボル、第二Ｐ１シンボル）としたが、これに限定されず、３つ以上のＰ１シンボルが存在してもよく、この場合、前側ガードインターバル区間及び後ろ側ガードインターバル区間の信号の生成において、３つ以上のＰ１シンボルの各々で利用する有効シンボル区間の箇所とその箇所の長さの少なくとも一方が互いに異なっていればよい。
【０１５４】
（１８）上記の第３の実施の形態において、前側ガードインターバル区間の時間軸上の信号及び後ろ側ガードインターバル区間の時間軸上の信号の生成における、周波数シフト量、及び有効シンボル区間の生成に利用する箇所の長さに関して、第１の実施の形態に対する変形で説明した内容及び第２の実施の形態に対する変形で説明した内容を適用した変形を施すことも可能である。
【０１５５】
（１９）第１の実施の形態でのガードインターバルの生成の仕方と、第２の実施の形態でのガードインターバルの生成の仕方と、上記の（１５）のガードインターバルの生成の仕方とを組み合わせてもよい。言い換えると、第３の実施の形態でのガードインターバルの生成の仕方と、上記の（１５）のガードインターバルの生成の仕方とを組み合わせてもよい。
【０１５６】
つまり、第一Ｐ１シンボルの前側ガードインターバル区間の時間軸上の信号の生成に利用する有効シンボル区間の箇所及びその箇所の長さ並びにその箇所の信号に施す周波数シフト量と、第二Ｐ１シンボルの前側ガードインターバル区間の時間軸上の信号の生成に利用する有効シンボル区間の箇所とその箇所の長さとその箇所の信号に施す周波数シフト量の全てを互いに異なるようにしてもよい。第一Ｐ１シンボルの後ろ側ガードインターバル区間の時間軸上の信号の生成に利用する有効シンボル区間の箇所及びその箇所の長さ並びにその箇所の信号に施す周波数シフト量と、第二Ｐ１シンボルの後ろ側ガードインターバル区間の時間軸上の信号の生成に利用する有効シンボル区間の箇所とその箇所の長さとその箇所の信号に施す周波数シフト量の全てを互いに異なるようにしてもよい。
【０１５７】
Ｐ１シンボルを３つ以上送信する場合、各Ｐ１シンボルのガードインターバル区間（前側ガードインターバル区間、後ろ側ガードインターバル区間）の時間軸上の信号の生成に利用する有効シンボル区間の箇所及びその箇所の長さ並びにその箇所の信号に施す周波数シフト量を互いに異なるようにしてもよい。
（２０）第４の実施の形態のガードインターバルの付加の仕方は、第１の実施の形態で説明したガードインターバルの付加の仕方（各Ｐ１シンボルでの周波数シフト量を互いに異ならせる）であるとして説明したが、これに限定されるものではなく、第２から第４の実施の形態で説明したガードインターバルの付加の仕方や第１から第４の実施の形態の変形として説明したガードインターバルの付加の仕方であってもよい。また、各Ｐ１シンボルで前側ガードインターバル区間及び後ろ側ガードインターバル区間の時間軸上の信号の生成に利用する有効シンボル区間の箇所及びその箇所の長さ並びにその箇所の信号に施す周波数シフト量は互いに同じであっても良い。
【０１５８】
（２１）第４の実施の形態では、Ｐ１シンボルを２つ（第一Ｐ１シンボル、第二Ｐ１シンボル）としたが、これに限定されず、３つ以上のＰ１シンボルが存在してもよく、この場合には、３つ以上のＰ１シンボルの各々のキャリア配置系列が互いに異なるようにすればよい。
（２２）第１から第４の実施の形態において、各Ｐ１シンボルは、ＤＶＢ−Ｔ２規格のＰ１シンボルに対応したものとしたが、これに限られず、ＤＶＢ−Ｔ２規格のＰ１シンボルに対応したものでなくてもよい。例えば、ＩＦＦＴ前のサブキャリアマッピングは別の構成をとってもよく、全サブキャリアに情報を付加してもよく、ＤＢＰＳＫ以外の差動変調や差動変調以外の変調を用いてもよい。ガードインターバル区間は有効シンボル区間の前後のどちらか片方のみであってもよい（片方のガードインターバル区間の信号が有効シンボル区間の信号の全てに基づいて生成されていても良く、その一部に基づいて生成されていてもよい）。また、第一Ｐ１シンボル及び第二Ｐ１シンボルのＦＦＴサイズは１ｋでなくてもよく、有効シンボル長が１１２μｓでなくてもよい。また、第一Ｐ１シンボルと第二Ｐ１シンボルの周波数軸フォーマット（ＭＳＳシグナリング変換、ＤＢＰＳＫ変調、データスクランブル等）は互いに同じ構成でなくてもよい。
【０１５９】
（２３）上述した各ＯＦＤＭ送信装置および各ＯＦＤＭ受信装置の各構成要素は、集積回路であるＬＳＩで実現してもよい。このとき、各構成要素は、個別に１チップ化されてもよいし、一部もしくは全てを含むように１チップ化されてもよい。また、ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセサで実現してもよい。また、集積回路化の手法はＬＳＩに限られるものではなく、専用回路又は汎用プロセサで実現してもよい。ＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセサを利用してもよい。さらに、半導体技術の進歩又は派生する別技術によりＬＳＩに置き換わる集積回路化の技術が登場すれば、当然その技術を用いて機能ブロックの集積化を行ってもよい。バイオ技術の適用等が可能性としてあげられる。
【０１６０】
（２４）上記の各ＯＦＤＭ送信装置の動作の手順の少なくとも一部を送信プログラムに記載し、例えばＣＰＵ（Ｃｅｎｔｒａｌ  Ｐｒｏｃｅｓｓｉｎｇ  Ｕｎｉｔ）がメモリに記憶された当該プログラムを読み出して実行するようにしてもよいし、上記プログラムを記録媒体に保存して頒布等するようにしてもよい。上記の各ＯＦＤＭ受信装置の動作の手順の少なくとも一部を受信プログラムに記載し、例えばＣＰＵがメモリに記憶された当該プログラムを読み出して実行するようにしてもよいし、上記プログラムを記録媒体に保存して頒布等するようにしてもよい。
【０１６１】
（２５）上記の各ＯＦＤＭ送信装置は、記載した送信処理の少なくとも一部を行うようにしてもよい。上記の各ＯＦＤＭ受信装置は、記載した受信処理の少なくとも一部を行うようにしてもよい。
（２６）上記で説明した送信処理および受信処理の一部を行ういかなるＯＦＤＭ送信装置、ＯＦＤＭ送信方法、送信側の集積回路、又はＯＦＤＭ送信プログラム、及び、ＯＦＤＭ受信装置、ＯＦＤＭ受信方法、受信側の集積回路、又はＯＦＤＭ受信プログラムをどのように組み合わせて第１から第４の実施の形態の内容及び上記の変形の内容を実現してもよい。例えば、上記の各実施の形態やその変形で説明したＯＦＤＭ送信装置の構成の一部をＯＦＤＭ送信装置又は送信側の集積回路で実現し、その一部を除く構成が行う動作の手順をＯＦＤＭ送信プログラムに記載し、例えばＣＰＵがメモリに記憶された当該プログラムを読み出して実行することによって実現してもよい。また、上記の各実施の形態やその変形で説明したＯＦＤＭ受信装置の構成の一部をＯＦＤＭ受信装置又は受信側の集積回路で実現し、その一部を除く構成が行う動作の手順をＯＦＤＭ受信プログラムに記載し、例えばＣＰＵがメモリに記憶された当該プログラムを読み出して実行することによって実現してもよい。
【０１６２】
（２７）上記では、制御シンボルをＤＶＢ−Ｔ２方式の名称であるＰ１シンボルとして記載したが、これに限定されるものではなく、送信する制御情報は送信パラメータ情報である必要はない。また、上記の内容は、ＦＥＦ区間での送信に係わらず、今後、Ｐ１シンボルのような制御情報を伝送する特別なシンボル（制御シンボル）を複数有するＯＦＤＭ通信の分野に適用できる。
【産業上の利用可能性】
【０１６３】
本発明は、複数の特有な制御シンボルを送受信する分野において有益である。
【符号の説明】
【０１６４】
１１  Ｐ１シンボル生成部
１２  データシンボル生成部
１３  Ｐ１シンボル挿入部
２６  Ｐ１シンボル復調部
２７  データシンボル復調部
１００  第一Ｐ１シンボル
１０１  キャリア配置系列生成部
１０２  ＭＳＳシグナリング変換部
１０３  ＤＢＰＳＫ変換部
１０４  データスクランブル部
１０５  キャリア配置部
１０６  ＩＦＦＴ部
１０７  ガードインターバル付加部
２００  第一Ｐ１シンボル
２０１  キャリア配置系列生成部
２０２  ＭＳＳシグナリング変換部
２０３  ＤＢＰＳＫ変換部
２０４  データスクランブル部
２０５  キャリア配置部
２０６  ＩＦＦＴ部
２０７  ガードインターバル付加部
３００  第一Ｐ１シンボル復調部
３０１  Ｐ１位置検出部
３０２  ＦＦＴ部
３０３  Ｐ１デコード部
４００  第二Ｐ１シンボル復調部
４０１  Ｐ１位置検出部
４０２  ＦＦＴ部
４０３  Ｐ１デコード部
【図１】
0005617010.tif 000006
【図２】
0005617010.tif 000007
【図３】
0005617010.tif 000008
【図４】
0005617010.tif 000009
【図５】
0005617010.tif 000010
【図６】
0005617010.tif 000011
【図７】
0005617010.tif 000012
【図８】
0005617010.tif 000013
【図９】
0005617010.tif 000014
【図１０】
0005617010.tif 000015
【図１１】
0005617010.tif 000016
【図１２】
0005617010.tif 000017
【図１３】
0005617010.tif 000018
【図１４】
0005617010.tif 000019
【図１５】
0005617010.tif 000020
【図１６】
0005617010.tif 000021
【図１７】
0005617010.tif 000022
【図１８】
0005617010.tif 000023
【図１９】
0005617010.tif 000024
【図２０】
0005617010.tif 000025
【図２１】
0005617010.tif 000026
【図２２】
0005617010.tif 000027
【図２３】
0005617010.tif 000028
【図２４】
0005617010.tif 000029
【図２５】
0005617010.tif 000030
【図２６】
0005617010.tif 000031
【図２７】
0005617010.tif 000032
【図２８】
0005617010.tif 000033
【図２９】
0005617010.tif 000034
【図３０】
0005617010.tif 000035
【図３１】
0005617010.tif 000036
【図３２】
0005617010.tif 000037
【図３３】
0005617010.tif 000038
【図３４】
0005617010.tif 000039
【図３５】
0005617010.tif 000040
【図３６】
0005617010.tif 000041
【図３７】
0005617010.tif 000042
【図３８】
0005617010.tif 000043
【図３９】
0005617010.tif 000044
【図４０】
0005617010.tif 000045
【図４１】
0005617010.tif 000046
【図４２】
0005617010.tif 000047
【図４３】
0005617010.tif 000048
【図４４】
0005617010.tif 000049
【図４５】
0005617010.tif 000050
【図４６】
0005617010.tif 000051
【図４７】
0005617010.tif 000052
【図４８】
0005617010.tif 000053
【図４９】
0005617010.tif 000054
【図５０】
0005617010.tif 000055
【図５１】
0005617010.tif 000056
【図５２】
0005617010.tif 000057
【図５３】
0005617010.tif 000058
【図５４】
0005617010.tif 000059
【図５５】
0005617010.tif 000060
【図５６】
0005617010.tif 000061
【図５７】
0005617010.tif 000062
【図５８】
0005617010.tif 000063
【図５９】
0005617010.tif 000064